(57)【要約】  多周波網内でのＲＦハンドオフのための方法および装置。方法は、現在のＬＯＩ内で搬送される多重のシームレスハンドオフテーブルおよび部分的シームレスハンドオフテーブルを生成することであって、シームレスハンドオフテーブルおよび部分的シームレスハンドオフテーブルが、現在のＬＯＩ内の多重のうちの１つまたは複数を搬送する近隣ＲＦチャネルを備える、生成することと、現在のＲＦでの獲得失敗によって開始されるハンドオフイベントを検出することと、シームレスハンドオフテーブルおよび部分的シームレスハンドオフテーブルから選択されたＲＦチャネルを選択することと、選択されたＲＦチャネルへのハンドオフを実行することとを含む。装置は、シームレスハンドオフテーブルおよび部分的シームレスハンドオフテーブルを生成し、現在のＲＦでの獲得失敗によって開始されるハンドオフイベントを検出し、シームレスハンドオフテーブルおよび部分的シームレスハンドオフテーブルから選択されたＲＦチャネルを選択するように構成された処理論理を含む。この装置は、選択されたＲＦチャネルへのハンドオフを実行するように構成されたチャネル切替論理をも含む。
2010522520.tif 000002
【特許請求の範囲】
【請求項１】
現在のＬＯＩ内で搬送される多重のシームレスハンドオフテーブルおよび部分的シームレスハンドオフテーブルを生成することであって、前記シームレスハンドオフテーブルおよび前記部分的シームレスハンドオフテーブルが、前記現在のＬＯＩ内の前記多重のうちの１つまたは複数を搬送する近隣ＲＦチャネルを備える、生成することと、
現在のＲＦでの獲得失敗によって開始されるハンドオフイベントを検出することと、
前記シームレスハンドオフテーブルおよび前記部分的シームレスハンドオフテーブルから選択されたＲＦチャネルを選択することと、
前記選択されたＲＦチャネルへのハンドオフを実行することと
を備える、多周波網内でのＲＦチャネルハンドオフのための方法。
【請求項２】
前記生成することが、前記現在のＬＯＩ内のワイド多重ごとにワイドシームレスハンドオフテーブルを生成することを備え、前記ワイドシームレスハンドオフテーブルが、前記それぞれのワイド多重を搬送する、前記現在のＬＯＩと同一のワイド多重のセットを搬送するローカルオペレーションズインフラストラクチャ（ＬＯＩ）に関連する近隣ＲＦチャネルを備える、請求項１に記載の方法。
【請求項３】
前記生成することが、前記現在のＬＯＩ内のローカル多重ごとにローカルシームレスハンドオフテーブルを生成することを備え、前記ローカルシームレスハンドオフテーブルが、前記それぞれのローカル多重を搬送する、前記現在のＬＯＩと同一のローカル多重のセットを搬送するローカルオペレーションズインフラストラクチャ（ＬＯＩ）に関連する近隣ＲＦチャネルを備える、請求項１に記載の方法。
【請求項４】
前記生成することが、前記現在のＬＯＩ内のワイド＋ローカル多重の組合せごとにワイド＋ローカルシームレスハンドオフテーブルを生成することを備え、前記ワイド＋ローカルシームレスハンドオフテーブルが、ワイド＋ローカル多重の前記それぞれの組合せを搬送する、前記現在のＬＯＩと同一のワイド多重およびローカル多重のセットを搬送するローカルオペレーションズインフラストラクチャ（ＬＯＩ）に関連する近隣ＲＦチャネルを備える、請求項１に記載の方法。
【請求項５】
前記生成することが、前記現在のＬＯＩ内のワイド多重ごとにワイド部分的シームレスハンドオフテーブルを生成することを備え、前記ワイド部分的シームレスハンドオフテーブルが、前記それぞれのワイド多重を搬送する、前記現在のＬＯＩと同一のワイド多重のセットを搬送しないローカルオペレーションズインフラストラクチャ（ＬＯＩ）に関連する近隣ＲＦチャネルを備える、請求項１に記載の方法。
【請求項６】
前記生成することが、前記現在のＬＯＩ内のローカル多重ごとにローカル部分的シームレスハンドオフテーブルを生成することを備え、前記ローカル部分的シームレスハンドオフテーブルが、前記それぞれのローカル多重を搬送する、前記現在のＬＯＩと同一のローカル多重のセットを搬送しないローカルオペレーションズインフラストラクチャ（ＬＯＩ）に関連する近隣ＲＦチャネルを備える、請求項１に記載の方法。
【請求項７】
前記生成することが、前記現在のＬＯＩ内のワイド＋ローカル多重の組合せごとにワイド＋ローカル部分的シームレスハンドオフテーブルを生成することを備え、前記ワイド＋ローカル部分的シームレスハンドオフテーブルが、ワイド＋ローカル多重の前記それぞれの組合せを搬送する、前記現在のＬＯＩと同一のワイド多重およびローカル多重のセットを搬送しないローカルオペレーションズインフラストラクチャ（ＬＯＩ）に関連する近隣ＲＦチャネルを備える、請求項１に記載の方法。
【請求項８】
複数の近隣ＲＦチャネルが同一のワイドエリアデスクランブリング識別子（ＷＩＤ）に関連する場合に、前記複数の近隣ＲＦチャネルが同一のワイド多重を搬送すると判定することと、
複数の近隣ＲＦチャネルが同一のローカルエリアデスクランブリング識別子（ＬＩＤ）に関連する場合に、前記複数の近隣ＲＦチャネルが同一のローカル多重を搬送すると判定することと、
複数の近隣ＲＦチャネルがワイドエリアデスクランブリング識別子（ＷＩＤ）とローカルエリアデスクランブリング識別子（ＬＩＤ）との同一の組合せに関連する場合に、前記複数の近隣ＲＦチャネルがワイド＋ローカル多重の同一の組合せを搬送すると判定することと
をさらに備える、請求項１に記載の方法。
【請求項９】
前記検出することが、１つまたは複数のアクティブ化されたフローに関連するデータの獲得失敗、１つまたは複数の登録されたフローに関連するデータの獲得失敗、オーバヘッド情報記号（ＯＩＳ）の獲得失敗、および制御チャネル（ＣＣ）の獲得失敗のうちの少なくとも１つに基づいて前記ハンドオフイベントを検出することを備える、請求項１に記載の方法。
【請求項１０】
前記検出することが、ワイドフローだけが獲得失敗に関連する場合のワイドハンドオフタイプ、ローカルフローだけが獲得失敗に関連する場合のローカルハンドオフタイプ、およびワイドフローとローカルフローとの両方が獲得失敗に関連する場合のワイド＋ローカルハンドオフタイプのうちの１つを備えるために前記ハンドオフイベントを検出することを備える、請求項１に記載の方法。
【請求項１１】
前記選択することが、前記ハンドオフイベントが前記ワイドハンドオフタイプを備える場合に前記現在のＲＦ上のワイド多重に関連するワイドシームレスハンドオフテーブルおよびワイド部分的シームレスハンドオフテーブルのうちの１つから前記選択されたＲＦを選択することを備える、請求項１０に記載の方法。
【請求項１２】
前記選択することが、前記ハンドオフイベントが前記ローカルハンドオフタイプを備える場合に前記現在のＲＦ上のローカル多重に関連するローカルシームレスハンドオフテーブルおよびローカル部分的シームレスハンドオフテーブルのうちの１つから前記選択されたＲＦを選択することを備える、請求項１０に記載の方法。
【請求項１３】
前記選択することが、前記ハンドオフイベントが前記ワイド＋ローカルハンドオフタイプを備える場合に前記現在のＲＦ上のワイド＋ローカル多重の組合せに関連するワイド＋ローカルシームレスハンドオフテーブルおよびワイド＋ローカル部分的シームレスハンドオフテーブルのうちの１つから前記選択されたＲＦを選択することを備える、請求項１０に記載の方法。
【請求項１４】
前記ワイド＋ローカルハンドオフタイプを備えるために前記ハンドオフイベントを検出することと、
前記現在のＲＦ上の前記ワイド＋ローカル多重に関連する前記ワイド＋ローカルシームレスハンドオフテーブルおよび前記ワイド＋ローカル部分的シームレスハンドオフテーブルが空であることを判定することと、
前記現在のＲＦ上の前記ワイド多重に関連するワイドシームレスハンドオフテーブルおよびワイド部分的シームレスハンドオフテーブルのうちの１つから前記選択されたＲＦを選択することと、
前記選択されたＲＦへのハンドオフを試みることと、
前記試みられたハンドオフが失敗する場合に、前記現在のＲＦ上の前記ローカル多重に関連するローカルシームレスハンドオフテーブルおよびローカル部分的シームレスハンドオフテーブルのうちの１つから前記選択されたＲＦを選択することと
をさらに備える、請求項１３に記載の方法。
【請求項１５】
前記ハンドオフタイプに基づいて、前記現在のＲＦ上の少なくとも１つの選択された多重に関連する選択されたシームレスハンドオフテーブルおよび部分的シームレスハンドオフテーブルからのＲＦチャネルを組み合わせることによってハンドオフＲＦリストを生成することと、
成功のハンドオフが発生するまで、
前記ハンドオフＲＦリストから前記選択されたＲＦチャネルを選択する動作と、
前記選択されたＲＦチャネルへのハンドオフを実行する動作と、
前記選択されたＲＦヘの前記ハンドオフが失敗したと判定する動作と、
前記ハンドオフＲＦリストから前記選択されたＲＦを除去する動作と
を繰り返すことと
をさらに備える、請求項１０に記載の方法。
【請求項１６】
前記繰り返すことが、選択されたハンドオフ時間持続期間の間に選択する前記動作、判定する前記動作、および除去する前記動作を繰り返すことを備える、請求項１５に記載の方法。
【請求項１７】
前記選択することが、前記選択された部分的シームレスハンドオフテーブルの前に前記選択されたシームレスハンドオフテーブルから前記選択されたＲＦチャネルを選択することを備える、請求項１５に記載の方法。
【請求項１８】
前記選択することが、
前記選択されたシームレスハンドオフテーブルおよび前記選択された部分的シームレスハンドオフテーブル内の前記ＲＦチャネルを、そのそれぞれのＬＯＩ内の共通の多数の個数および多重の全体的個数に基づいてランキングすることと、
前記選択されたシームレスハンドオフテーブルおよび前記選択された部分的シームレスハンドオフテーブルから前記選択されたＲＦチャネルをそのランキングに基づいて選択することと
を備える、請求項１５に記載の方法。
【請求項１９】
前記選択することが、前記選択されたＲＦチャネルが信号強度しきい値を満足し、ｈａｎｄｏｆｆ＿ｔｒｉｇｇｅｒ＿ＲＦの信号強度とヒステリシス値との合計より大きい信号強度を有するように、前記選択されたＲＦチャネルを選択することを備える、請求項１５に記載の方法。
【請求項２０】
少なくとも１つの所望のメディア論理チャネルに関連するデータが成功して獲得される場合に前記ハンドオフが成功であると判定することをさらに備える、請求項１５に記載の方法。
【請求項２１】
ＯＩＳを獲得することの失敗、制御チャネルを獲得することの失敗、および少なくとも１つの所望のメディア論理チャネルに関連するデータを獲得することの失敗のうちの少なくとも１つに基づいて前記ハンドオフが失敗したと判定することをさらに備える、請求項１５に記載の方法。
【請求項２２】
１つまたは複数のアクティブ化されたフローを獲得するために前記ハンドオフを実行することと、
前記ハンドオフが失敗したと判定することと、
前記１つまたは複数のアクティブ化されたフローを非アクティブ化することと、
システム獲得を実行することと
をさらに備える、請求項１に記載の方法。
【請求項２３】
フローグループのリストからの少なくとも１つのフローグループ内のフローのデータを獲得するために前記ハンドオフを実行することであって、各フローグループが、１つまたは複数の登録されたフローに関連する、実行することと、
前記ハンドオフが失敗したと判定することと、
フローグループの前記リストから前記現在のＲＦ上で搬送されるすべてのフローグループを除去することと、
フローグループの前記リストに残っているフローグループがある場合に、他のフローグループのデータを獲得するために別のハンドオフを実行することと、
フローグループの前記リストに残っているフローグループがない場合に、フローグループの前記リストをすべてのフローグループにリセットすることと、
選択されたタイムインターバルの後に選択された登録されたフローに関するデータ獲得を可能にするために、ＯＩＳの監視をスケジューリングすることと
をさらに備える、請求項１に記載の方法。
【請求項２４】
現在のＬＯＩ内で搬送される多重のシームレスハンドオフテーブルおよび部分的シームレスハンドオフテーブルを生成するように構成された処理論理であって、前記シームレスハンドオフテーブルおよび前記部分的シームレスハンドオフテーブルが、前記現在のＬＯＩ内の前記多重のうちの１つまたは複数を搬送する近隣ＲＦチャネルを備え、当該処理論理が、現在のＲＦでの獲得失敗によって開始されるハンドオフイベントを検出し、前記シームレスハンドオフテーブルおよび前記部分的シームレスハンドオフテーブルから選択されたＲＦチャネルを選択するようにさらに構成される、処理論理と、
前記選択されたＲＦチャネルへのハンドオフを実行するように構成されたチャネル切替論理と
を備える、多周波網内でのＲＦチャネルハンドオフのための装置。
【請求項２５】
前記処理論理が、前記現在のＬＯＩ内のワイド多重ごとにワイドシームレスハンドオフテーブルを生成するように構成され、前記ワイドシームレスハンドオフテーブルが、前記それぞれのワイド多重を搬送する、前記現在のＬＯＩと同一のワイド多重のセットを搬送するローカルオペレーションズインフラストラクチャ（ＬＯＩ）に関連する近隣ＲＦチャネルを備える、請求項２４に記載の装置。
【請求項２６】
前記処理論理が、前記現在のＬＯＩ内のワイド多重ごとにワイド部分的シームレスハンドオフテーブルを生成するように構成され、前記ワイド部分的シームレスハンドオフテーブルが、前記それぞれのワイド多重を搬送する、前記現在のＬＯＩと同一のワイド多重のセットを搬送しないローカルオペレーションズインフラストラクチャ（ＬＯＩ）に関連する近隣ＲＦチャネルを備える、請求項２４に記載の装置。
【請求項２７】
前記処理論理が、１つまたは複数のアクティブ化されたフローに関連するデータの獲得失敗、１つまたは複数の登録されたフローに関連するデータの獲得失敗、オーバヘッド情報記号（ＯＩＳ）の獲得失敗、および制御チャネル（ＣＣ）の獲得失敗のうちの少なくとも１つに基づいて前記ハンドオフイベントを検出するように構成される、請求項２４に記載の装置。
【請求項２８】
前記処理論理が、ワイドフローだけが獲得失敗に関連する場合のワイドハンドオフタイプ、ローカルフローだけが獲得失敗に関連する場合のローカルハンドオフタイプ、およびワイドフローとローカルフローとの両方が獲得失敗に関連する場合のワイド＋ローカルハンドオフタイプのうちの１つを備えるために前記ハンドオフイベントを検出するように構成される、請求項２４に記載の装置。
【請求項２９】
前記処理論理が、前記ハンドオフイベントが前記ワイドハンドオフタイプを備える場合に前記現在のＲＦ上のワイド多重に関連するワイドシームレスハンドオフテーブルおよびワイド部分的シームレスハンドオフテーブルのうちの１つから前記選択されたＲＦを選択するように構成される、請求項２８に記載の装置。
【請求項３０】
前記処理論理が、
前記ハンドオフタイプに基づいて、前記現在のＲＦ上の少なくとも１つの選択された多重に関連する選択されたシームレスハンドオフテーブルおよび部分的シームレスハンドオフテーブルからのＲＦチャネルを組み合わせることによってハンドオフＲＦリストを生成し、
成功のハンドオフが発生するまで、
前記ハンドオフＲＦリストから前記選択されたＲＦチャネルを選択する動作と、
前記選択されたＲＦチャネルへのハンドオフを実行する動作と、
前記選択されたＲＦヘの前記ハンドオフが失敗したと判定する動作と、
前記ハンドオフＲＦリストから前記選択されたＲＦを除去する動作と
を繰り返す
ようにさらに構成される、請求項２８に記載の装置。
【請求項３１】
前記処理論理が、前記選択された部分的シームレスハンドオフテーブルの前に前記選択されたシームレスハンドオフテーブルから前記選択されたＲＦチャネルを選択するように構成される、請求項３０に記載の装置。
【請求項３２】
前記処理論理が、前記選択されたＲＦチャネルが信号強度しきい値を満足し、ｈａｎｄｏｆｆ＿ｔｒｉｇｇｅｒ＿ＲＦの信号強度とヒステリシス値との合計より大きい信号強度を有するように、前記選択されたＲＦチャネルを選択するように構成される、請求項３０に記載の装置。
【請求項３３】
現在のＬＯＩ内で搬送される多重のシームレスハンドオフテーブルおよび部分的シームレスハンドオフテーブルを生成するための手段であって、前記シームレスハンドオフテーブルおよび前記部分的シームレスハンドオフテーブルが、前記現在のＬＯＩ内の前記多重のうちの１つまたは複数を搬送する近隣ＲＦチャネルを備える、手段と、
現在のＲＦでの獲得失敗によって開始されるハンドオフイベントを検出するための手段と、
前記シームレスハンドオフテーブルおよび前記部分的シームレスハンドオフテーブルから選択されたＲＦチャネルを選択するための手段と、
前記選択されたＲＦチャネルへのハンドオフを実行するための手段と
を備える、多周波網内でのＲＦチャネルハンドオフのための装置。
【請求項３４】
生成するための前記手段が、前記現在のＬＯＩ内のワイド多重ごとにワイドシームレスハンドオフテーブルを生成するための手段を備え、前記ワイドシームレスハンドオフテーブルが、前記それぞれのワイド多重を搬送する、前記現在のＬＯＩと同一のワイド多重のセットを搬送するローカルオペレーションズインフラストラクチャ（ＬＯＩ）に関連する近隣ＲＦチャネルを備える、請求項３３に記載の装置。
【請求項３５】
生成するための前記手段が、前記現在のＬＯＩ内のワイド多重ごとにワイド部分的シームレスハンドオフテーブルを生成するための手段を備え、前記ワイド部分的シームレスハンドオフテーブルが、前記それぞれのワイド多重を搬送する、前記現在のＬＯＩと同一のワイド多重のセットを搬送しないローカルオペレーションズインフラストラクチャ（ＬＯＩ）に関連する近隣ＲＦチャネルを備える、請求項３３に記載の装置。
【請求項３６】
検出するための前記手段が、１つまたは複数のアクティブ化されたフローに関連するデータの獲得失敗、１つまたは複数の登録されたフローに関連するデータの獲得失敗、オーバヘッド情報記号（ＯＩＳ）の獲得失敗、および制御チャネル（ＣＣ）の獲得失敗のうちの少なくとも１つに基づいて前記ハンドオフイベントを検出するための手段を備える、請求項３３に記載の装置。
【請求項３７】
検出するための前記手段が、ワイドフローだけが獲得失敗に関連する場合のワイドハンドオフタイプ、ローカルフローだけが獲得失敗に関連する場合のローカルハンドオフタイプ、およびワイドフローとローカルフローとの両方が獲得失敗に関連する場合のワイド＋ローカルハンドオフタイプのうちの１つを備えるために前記ハンドオフイベントを検出するための手段を備える、請求項３３に記載の装置。
【請求項３８】
選択するための前記手段が、前記ハンドオフイベントが前記ワイドハンドオフタイプを備える場合に前記現在のＲＦ上のワイド多重に関連するワイドシームレスハンドオフテーブルおよびワイド部分的シームレスハンドオフテーブルのうちの１つから前記選択されたＲＦを選択するための手段を備える、請求項３７に記載の装置。
【請求項３９】
前記ハンドオフタイプに基づいて、前記現在のＲＦ上の少なくとも１つの選択された多重に関連する選択されたシームレスハンドオフテーブルおよび部分的シームレスハンドオフテーブルからのＲＦチャネルを組み合わせることによってハンドオフＲＦリストを生成するための手段と、
成功のハンドオフが発生するまで、
前記ハンドオフＲＦリストから前記選択されたＲＦチャネルを選択する動作と、
前記選択されたＲＦチャネルへのハンドオフを実行する動作と、
前記選択されたＲＦヘの前記ハンドオフが失敗したと判定する動作と、
前記ハンドオフＲＦリストから前記選択されたＲＦを除去する動作と
を繰り返すための手段と
をさらに備える、請求項３７に記載の装置。
【請求項４０】
選択するための前記手段が、前記選択された部分的シームレスハンドオフテーブルの前に前記選択されたシームレスハンドオフテーブルから前記選択されたＲＦチャネルを選択するための手段を備える、請求項３９に記載の装置。
【請求項４１】
選択するための前記手段が、前記選択されたＲＦチャネルが信号強度しきい値を満足し、ｈａｎｄｏｆｆ＿ｔｒｉｇｇｅｒ＿ＲＦの信号強度とヒステリシス値との合計より大きい信号強度を有するように、前記選択されたＲＦチャネルを選択するための手段を備える、請求項３９に記載の装置。
【請求項４２】
コンピュータに、現在のＬＯＩ内で搬送される多重のシームレスハンドオフテーブルおよび部分的シームレスハンドオフテーブルを生成させる、コードの第１セットであって、前記シームレスハンドオフテーブルおよび前記部分的シームレスハンドオフテーブルが、前記現在のＬＯＩ内の前記多重のうちの１つまたは複数を搬送する近隣ＲＦチャネルを備える、コードの第１セットと、
前記コンピュータに、現在のＲＦでの獲得失敗によって開始されるハンドオフイベントを検出させる、コードの第２セットと、
前記コンピュータに、前記シームレスハンドオフテーブルおよび前記部分的シームレスハンドオフテーブルから選択されたＲＦチャネルを選択させる、コードの第３セットと、
前記コンピュータに、前記選択されたＲＦチャネルへのハンドオフを実行させる、コードの第４セットと
を備える機械可読媒体
を備える、多周波網内でのＲＦチャネルハンドオフのためのコンピュータプログラム製品。
【請求項４３】
コードの前記第１セットが、前記コンピュータに、前記現在のＬＯＩ内のワイド多重ごとにワイドシームレスハンドオフテーブルを生成させるように構成され、前記ワイドシームレスハンドオフテーブルが、前記それぞれのワイド多重を搬送する、前記現在のＬＯＩと同一のワイド多重のセットを搬送するローカルオペレーションズインフラストラクチャ（ＬＯＩ）に関連する近隣ＲＦチャネルを備える、請求項４２に記載の機械可読媒体。
【請求項４４】
コードの前記第１セットが、前記コンピュータに、前記現在のＬＯＩ内のワイド多重ごとにワイド部分的シームレスハンドオフテーブルを生成させるように構成され、前記ワイド部分的シームレスハンドオフテーブルが、前記それぞれのワイド多重を搬送する、前記現在のＬＯＩと同一のワイド多重のセットを搬送しないローカルオペレーションズインフラストラクチャ（ＬＯＩ）に関連する近隣ＲＦチャネルを備える、請求項４２に記載の機械可読媒体。
【請求項４５】
コードの前記第２セットが、前記コンピュータに、１つまたは複数のアクティブ化されたフローに関連するデータの獲得失敗、１つまたは複数の登録されたフローに関連するデータの獲得失敗、オーバヘッド情報記号（ＯＩＳ）の獲得失敗、および制御チャネル（ＣＣ）の獲得失敗のうちの少なくとも１つに基づいて前記ハンドオフイベントを検出させるように構成される、請求項４２に記載の機械可読媒体。
【請求項４６】
コードの前記第２セットが、前記コンピュータに、ワイドフローだけが獲得失敗に関連する場合のワイドハンドオフタイプ、ローカルフローだけが獲得失敗に関連する場合のローカルハンドオフタイプ、およびワイドフローとローカルフローとの両方が獲得失敗に関連する場合のワイド＋ローカルハンドオフタイプのうちの１つを備えるために前記ハンドオフイベントを検出させるように構成される、請求項４２に記載の機械可読媒体。
【請求項４７】
コードの前記第３セットが、前記コンピュータに、前記ハンドオフイベントが前記ワイドハンドオフタイプを備える場合に前記現在のＲＦ上のワイド多重に関連するワイドシームレスハンドオフテーブルおよびワイド部分的シームレスハンドオフテーブルのうちの１つから前記選択されたＲＦを選択させるように構成される、請求項４６に記載の機械可読媒体。
【請求項４８】
前記コンピュータに、前記ハンドオフタイプに基づいて、前記現在のＲＦ上の少なくとも１つの選択された多重に関連する選択されたシームレスハンドオフテーブルおよび部分的シームレスハンドオフテーブルからのＲＦチャネルを組み合わせることによってハンドオフＲＦリストを生成させるように構成された、コードの第５セットと、
前記コンピュータに、成功のハンドオフが発生するまで、
前記ハンドオフＲＦリストから前記選択されたＲＦチャネルを選択する動作と、
前記選択されたＲＦチャネルへのハンドオフを実行する動作と、
前記選択されたＲＦヘの前記ハンドオフが失敗したと判定する動作と、
前記ハンドオフＲＦリストから前記選択されたＲＦを除去する動作と
を繰り返させるように構成された、コードの第６セットと
をさらに備える、請求項４６に記載の機械可読媒体。
【請求項４９】
コードの前記第３セットが、前記コンピュータに、前記選択された部分的シームレスハンドオフテーブルの前に前記選択されたシームレスハンドオフテーブルから前記選択されたＲＦチャネルを選択させるように構成される、請求項４８に記載の機械可読媒体。
【請求項５０】
コードの前記第３セットが、前記コンピュータに、前記選択されたＲＦチャネルが信号強度しきい値を満足し、ｈａｎｄｏｆｆ＿ｔｒｉｇｇｅｒ＿ＲＦの信号強度とヒステリシス値との合計より大きい信号強度を有するように、前記選択されたＲＦチャネルを選択させるように構成される、請求項４８に記載の機械可読媒体。
【請求項５１】
現在のＬＯＩ内で搬送される多重のシームレスハンドオフテーブルおよび部分的シームレスハンドオフテーブルを生成するように構成された第１モジュールであって、前記シームレスハンドオフテーブルおよび前記部分的シームレスハンドオフテーブルが、前記現在のＬＯＩ内の前記多重のうちの１つまたは複数を搬送する近隣ＲＦチャネルを備える、第１モジュールと、
現在のＲＦでの獲得失敗によって開始されるハンドオフイベントを検出するように構成された第２モジュールと、
前記シームレスハンドオフテーブルおよび前記部分的シームレスハンドオフテーブルから選択されたＲＦチャネルを選択するように構成された第３モジュールと、
前記選択されたＲＦチャネルへのハンドオフを実行するように構成された第４モジュールと
を備える、多周波網内でのＲＦチャネルハンドオフのために構成された少なくとも１つの集積回路。
【請求項５２】
前記第１モジュールが、前記現在のＬＯＩ内のワイド多重ごとにワイドシームレスハンドオフテーブルを生成するように構成され、前記ワイドシームレスハンドオフテーブルが、前記それぞれのワイド多重を搬送する、前記現在のＬＯＩと同一のワイド多重のセットを搬送するローカルオペレーションズインフラストラクチャ（ＬＯＩ）に関連する近隣ＲＦチャネルを備える、請求項５１に記載の少なくとも１つの集積回路。
【請求項５３】
前記第１モジュールが、前記現在のＬＯＩ内のワイド多重ごとにワイド部分的シームレスハンドオフテーブルを生成するように構成され、前記ワイド部分的シームレスハンドオフテーブルが、前記それぞれのワイド多重を搬送する、前記現在のＬＯＩと同一のワイド多重のセットを搬送しないローカルオペレーションズインフラストラクチャ（ＬＯＩ）に関連する近隣ＲＦチャネルを備える、請求項５１に記載の少なくとも１つの集積回路。
【請求項５４】
前記第２モジュールが、１つまたは複数のアクティブ化されたフローに関連するデータの獲得失敗、１つまたは複数の登録されたフローに関連するデータの獲得失敗、オーバヘッド情報記号（ＯＩＳ）の獲得失敗、および制御チャネル（ＣＣ）の獲得失敗のうちの少なくとも１つに基づいて前記ハンドオフイベントを検出するように構成される、請求項５１に記載の少なくとも１つの集積回路。
【請求項５５】
前記第２モジュールが、ワイドフローだけが獲得失敗に関連する場合のワイドハンドオフタイプ、ローカルフローだけが獲得失敗に関連する場合のローカルハンドオフタイプ、およびワイドフローとローカルフローとの両方が獲得失敗に関連する場合のワイド＋ローカルハンドオフタイプのうちの１つを備えるために前記ハンドオフイベントを検出するように構成される、請求項５１に記載の少なくとも１つの集積回路。
【請求項５６】
前記第３モジュールが、前記ハンドオフイベントが前記ワイドハンドオフタイプを備える場合に前記現在のＲＦ上のワイド多重に関連するワイドシームレスハンドオフテーブルおよびワイド部分的シームレスハンドオフテーブルのうちの１つから前記選択されたＲＦを選択するように構成される、請求項５５に記載の少なくとも１つの集積回路。
【請求項５７】
前記ハンドオフタイプに基づいて、前記現在のＲＦ上の少なくとも１つの選択された多重に関連する選択されたシームレスハンドオフテーブルおよび部分的シームレスハンドオフテーブルからのＲＦチャネルを組み合わせることによってハンドオフＲＦリストを生成するように構成された第５モジュールと、
成功のハンドオフが発生するまで、
前記ハンドオフＲＦリストから前記選択されたＲＦチャネルを選択する動作と、
前記選択されたＲＦチャネルへのハンドオフを実行する動作と、
前記選択されたＲＦヘの前記ハンドオフが失敗したと判定する動作と、
前記ハンドオフＲＦリストから前記選択されたＲＦを除去する動作と
を繰り返すように構成された第６モジュールと
をさらに含む、請求項５５に記載の少なくとも１つの集積回路。
【請求項５８】
前記第３モジュールが、前記選択された部分的シームレスハンドオフテーブルの前に前記選択されたシームレスハンドオフテーブルから前記選択されたＲＦチャネルを選択するように構成される、請求項５７に記載の少なくとも１つの集積回路。
【請求項５９】
前記第３モジュールが、前記選択されたＲＦチャネルが信号強度しきい値を満足し、ｈａｎｄｏｆｆ＿ｔｒｉｇｇｅｒ＿ＲＦの信号強度とヒステリシス値との合計より大きい信号強度を有するように、前記選択されたＲＦチャネルを選択するように構成される、請求項５７に記載の少なくとも１つの集積回路。
【発明の詳細な説明】
【技術分野】
【０００１】
［米国特許法第１１９条に基づく優先権の主張］
本特許出願は、両方が本願の譲受人に譲渡され、これによって、明示的に参照によって本明細書に組み込まれている、２００７年３月２１日に出願した米国特許仮出願第６０／８９６２５５号明細書、名称「Ｍｅｔｈｏｄｓ  ａｎｄ  Ａｐｐａｒａｔｕｓ  ｆｏｒ  Ｐｒｏｖｉｄｉｎｇ  Ｈａｎｄｏｆｆ  ｉｎ  Ｍｕｌｔｉｐｌｅ  Ｆｒｅｑｕｅｎｃｙ  Ｎｅｔｗｏｒｋｓ」、および２００７年６月２０日に出願した米国特許仮出願第６０／９４５２９２号明細書、名称「Ｍｅｔｈｏｄｓ  ａｎｄ  Ａｐｐａｒａｔｕｓ  ｆｏｒ  Ｐｒｏｖｉｄｉｎｇ  Ｈａｎｄｏｆｆ  ｉｎ  ａ  Ｍｕｌｔｉｐｌｅ  Ｆｒｅｑｕｅｎｃｙ  Ｎｅｔｗｏｒｋ」に対する優先権を主張するものである。
【背景技術】
【０００２】
［背景］
［分野］
本出願は、全般的にはデータ網の動作に関し、より具体的には、多周波網（multi-frequency network）内でのＲＦチャネル選択の方法および装置に関する。
【０００３】
［背景］
無線通信網などのデータ網は、単一端末用にカスタマイズされたサービスと多数の端末に提供されるサービスとの間のトレードオフを有する。たとえば、リソースを制限された多数のポータブルデバイス（加入者）へのマルチメディアコンテンツの配布は、複雑な問題である。したがって、網運営者、コンテンツ小売業者、およびサービスプロバイダが、コンテンツおよび／または他の網サービスを高速で効率的な形で、帯域幅利用度および電力効率を高める形で配布する形を有することが重要である。
【０００４】
多周波網（ＭＦＮ）は、複数のラジオ周波数（ＲＦ）（またはＲＦチャネル）がメディアコンテンツを伝送するのに使用される網である。ＭＦＮの１タイプは、水平多周波網（horizontal multi-frequency network、ＨＭＦＮ）であり、この場合に、配布される波形は、異なるローカルエリア内で異なるＲＦチャネルを介して伝送される。同一のまたは異なるコンテンツを、そのようなローカルエリア内の異なるＲＦチャネル上で搬送される配布波形の一部として伝送することができる。もう１つのタイプのＭＦＮは、垂直多周波網（vertical multi-frequency network、ＭＦＮ）であり、この場合に、複数のラジオ周波数（ＲＦ）チャネルが、網の容量（より多くのコンテンツを１つのデバイス／エンドユーザに配送する能力に関して）を増やす目的で、独立配布波形を伝送するのに所与のローカルエリア内で使用される。ＭＦＮ展開は、あるエリア内のＶＭＦＮおよびある他のエリア内のＨＭＦＮからなるものとすることもできる。
【０００５】
通常のＨＭＦＮでは、ローカルオペレーションズインフラストラクチャ（local operations infrastructure、ＬＯＩ）は、選択された地理的エリア内で１つのＲＦチャネル上で単一の配布波形を伝送するように動作する伝送サイトを備える。通常のＶＭＦＮでは、ローカルオペレーションズインフラストラクチャ（ＬＯＩ）は、選択された地理的エリア内で複数のＲＦチャネル上で複数の配布波形を伝送するように動作する伝送サイトを備える。各配布波形は、レンダリングのために受信デバイスで選択できる１つまたは複数のコンテンツフローを備えることができる。隣接するＬＯＩは、同一のまたは異なるＲＦチャネルを利用することができる。
【０００６】
動作中に、受信デバイスは、所望のコンテンツに関するデータ獲得失敗（acquisition failure）の結果としてＲＦハンドオフを実行する場合がある。たとえば、獲得失敗は、デバイスモビリティ（device mobility）の結果として変化するチャネル条件に起因して発生し得る。通常、デバイスは、所望のコンテンツを搬送する任意の使用可能なＲＦチャネルにハンドオフすることができる。しかし、デバイスが、所望のコンテンツを搬送する任意のＲＦチャネルにランダムにハンドオフする場合に、選択されたＲＦチャネルに関連するＬＯＩが、現在のＬＯＩと共通する他のコンテンツを搬送しない場合がある。また、選択されたＲＦチャネルに関連するＬＯＩが、現在のＬＯＩで使用可能ではない任意の追加コンテンツを搬送しない場合がある。たとえば、選択されたＲＦチャネルに関連するＬＯＩが、所望のコンテンツを搬送する他の使用可能なＲＦチャネルに関連するＬＯＩより少ない共通するコンテンツ（現在のＬＯＩに関して）を搬送する場合がある。この状況は、デバイスが、ＲＦハンドオフの後に共通のおよび追加のコンテンツへのアクセスを有しないことをもたらす可能性があり、これは、ユーザ経験に悪影響を与える。
【０００７】
したがって、デバイスが、高速で効率的な形で多周波網（multi-frequency network）内でハンドオフを実行し、高められたユーザ経験のために共通のおよび追加のコンテンツを最大にすることを可能にするハンドオフ機構を有することが望ましい。
【発明の概要】
【０００８】
［概要］
１つまたは複数の態様では、多周波網内でハンドオフを提供するように動作する方法および装置を備えるハンドオフシステムが提供される。たとえば、ハンドオフイベントが検出される時に、ハンドオフシステムは、デバイスが所望のコンテンツを受信するために同調することのできる新しいＲＦチャネルを判定する。ハンドオフシステムは、信号強度、コンテンツ可用性、および新しいＲＦチャネルを判定するための他の要因を含むがこれらに限定はされない複数の要因を考慮するように動作する。新しいＲＦチャネルへの切替の後に、デバイスは、所望のコンテンツを受信し、高速で効率的な形で関連付けられたＬＯＩ内の他のＲＦチャネル上で使用可能とすることのできる追加コンテンツに切り替える能力を有することができる。
【０００９】
一態様では、多周波網内でのＲＦチャネルハンドオフのための方法が提供される。この方法は、現在のＬＯＩ内で搬送される多重のシームレスハンドオフテーブル（seamless handoff table）および部分的シームレスハンドオフテーブル（partially seamless handoff table）を生成することであって、シームレスハンドオフテーブルおよび部分的シームレスハンドオフテーブルが、現在のＬＯＩ内の多重のうちの１つまたは複数を搬送する近隣ＲＦチャネル（neighboring RF channel）を備える、生成することと、現在のＲＦでの獲得失敗によって開始されるハンドオフイベントを検出することと、シームレスハンドオフテーブルおよび部分的シームレスハンドオフテーブルから選択されたＲＦチャネルを選択することと、選択されたＲＦチャネルへのハンドオフを実行することとを備える。
【００１０】
一態様では、多周波網内でのＲＦチャネルハンドオフのための装置が提供される。この装置は、現在のＬＯＩ内で搬送される多重のシームレスハンドオフテーブルおよび部分的シームレスハンドオフテーブルを生成するように構成された処理論理であって、シームレスハンドオフテーブルおよび部分的シームレスハンドオフテーブルが、現在のＬＯＩ内の多重のうちの１つまたは複数を搬送する近隣ＲＦチャネルを備え、当該処理論理が、現在のＲＦでの獲得失敗によって開始されるハンドオフイベントを検出し、シームレスハンドオフテーブルおよび部分的シームレスハンドオフテーブルから選択されたＲＦチャネルを選択するようにさらに構成される、処理論理と、選択されたＲＦチャネルへのハンドオフを実行するように構成されたチャネル切替論理とを備える。
【００１１】
一態様では、多周波網内でのＲＦチャネルハンドオフのための装置が提供される。この装置は、現在のＬＯＩ内で搬送される多重のシームレスハンドオフテーブルおよび部分的シームレスハンドオフテーブルを生成するための手段であって、シームレスハンドオフテーブルおよび部分的シームレスハンドオフテーブルが、現在のＬＯＩ内の多重のうちの１つまたは複数を搬送する近隣ＲＦチャネルを備える、手段と、現在のＲＦでの獲得失敗によって開始されるハンドオフイベントを検出するための手段とを備える。この装置はまた、シームレスハンドオフテーブルおよび部分的シームレスハンドオフテーブルから選択されたＲＦチャネルを選択するための手段と、選択されたＲＦチャネルへのハンドオフを実行するための手段とを備える。
【００１２】
一態様では、多周波網内でのＲＦチャネルハンドオフのためのコンピュータプログラム製品が提供される。このコンピュータプログラム製品は、コンピュータに、現在のＬＯＩ内で搬送される多重のシームレスハンドオフテーブルおよび部分的シームレスハンドオフテーブルを生成させる、コードの第１セットであって、シームレスハンドオフテーブルおよび部分的シームレスハンドオフテーブルが、現在のＬＯＩ内の多重のうちの１つまたは複数を搬送する近隣ＲＦチャネルを備える、コードの第１セットと、コンピュータに、現在のＲＦでの獲得失敗によって開始されるハンドオフイベントを検出させる、コードの第２セットとを備える機械可読媒体を備える。このコンピュータプログラム製品はまた、コンピュータに、シームレスハンドオフテーブルおよび部分的シームレスハンドオフテーブルから選択されたＲＦチャネルを選択させる、コードの第３セットと、コンピュータに、選択されたＲＦチャネルへのハンドオフを実行させる、コードの第４セットとを備える。
【００１３】
一態様では、多周波網内でのＲＦチャネルハンドオフのために構成された少なくとも１つの集積回路が提供される。この少なくとも１つの集積回路は、現在のＬＯＩ内で搬送される多重のシームレスハンドオフテーブルおよび部分的シームレスハンドオフテーブルを生成するように構成された第１モジュールであって、シームレスハンドオフテーブルおよび部分的シームレスハンドオフテーブルが、現在のＬＯＩ内の多重のうちの１つまたは複数を搬送する近隣ＲＦチャネルを備える、第１モジュールと、現在のＲＦでの獲得失敗によって開始されるハンドオフイベントを検出するように構成された第２モジュールとを備える。この少なくとも１つの集積回路はまた、シームレスハンドオフテーブルおよび部分的シームレスハンドオフテーブルから選択されたＲＦチャネルを選択するように構成された第３モジュールと、選択されたＲＦチャネルへのハンドオフを実行するように構成された第４モジュールとを備える。
【００１４】
他の態様は、下に示された「図面の簡単な説明」、「発明を実施するための形態」、および「特許請求の範囲」を再検討した後に明白になるであろう。
【００１５】
本明細書で説明した前述の態様は、添付図面と共に解釈される時の次の「発明を実施するための形態」の参照によってより簡単に明白になるであろう。
【図面の簡単な説明】
【００１６】
【図１】多周波網で使用されるハンドオフシステムの諸態様の動作を示す網を示す図。
【図２】ハンドオフシステムの諸態様で使用される伝送フレームおよび近隣記述情報を示す図。
【図３】選択システムの諸態様で使用されるＲＦチャネル選択論理を示す図。
【図４】ハンドオフシステムの諸態様でワイドまたはローカルのシームレスハンドオフテーブルとしての使用に適用可能な例示的シームレスハンドオフテーブルを示す図。
【図５】ハンドオフシステムの諸態様でワイド＋ローカルシームレスハンドオフとしての使用に適用可能な例示的シームレスハンドオフテーブルを示す図。
【図６】ハンドオフシステムの諸態様でワイド、ローカル、またはワイド＋ローカルの部分的シームレスハンドオフテーブルとしての使用に適用可能な例示的な部分的シームレスハンドオフテーブルを示す図。
【図７】ハンドオフシステムの諸態様で使用されるハンドオフを実行する方法を示す図。
【図８】ハンドオフシステムの諸態様で使用されるハンドオフ手順を実行する方法を示す図。
【図９】ハンドオフシステムの諸態様で使用されるアクティブ化されたフローのためのハンドオフイベントトリガを提供する方法を示す図。
【図１０】ハンドオフシステムの諸態様で使用されるアクティブ化されたフローのためのハンドオフイベントトリガを提供する方法を示す図。
【図１１】ハンドオフシステムの諸態様で使用される登録されたフローのためのハンドオフイベントトリガを提供する方法を示す図。
【図１２】ハンドオフシステムの諸態様で使用される登録されたフローのためのハンドオフイベントトリガを提供する方法を示す図。
【図１３】ハンドオフシステムの諸態様で使用されるシームレスハンドオフテーブルの例を示す図。
【図１４】ハンドオフシステムの諸態様で使用される部分的シームレスハンドオフテーブルの例を示す図。
【図１５】ハンドオフシステムの諸態様で使用されるＲＦハンドオフ論理を示す図。
【発明を実施するための形態】
【００１７】
［記載］
１つまたは複数の態様では、所望のコンテンツを受信できるようになるためにそれへのハンドオフを実行できる多周波網内のＲＦチャネルを判定するためにデバイスで動作するハンドオフシステムが提供される。一態様では、ハンドオフシステムは、近隣ＲＦチャネルおよびそれらが搬送するコンテンツに関連する情報をアセンブルする。この情報は、シームレスなおよび部分的シームレスハンドオフテーブルにアセンブルされる。ハンドオフイベントは、データ獲得が所望のコンテンツについて失敗する時に開始される。ハンドオフイベントが検出される時に、ハンドオフシステムは、デバイスが所望のコンテンツを受信するためにそれに切り替えることのできる新しいＲＦチャネルを判定するために生成されたハンドオフテーブルを処理するように動作する。
【００１８】
このシステムは、無線網環境での使用によく適するが、通信網、インターネットなどの公衆網、仮想プライベートネットワーク（ＶＰＮ）などの私有網、ローカルエリアネットワーク、広域ネットワーク、長距離網、または任意の他のタイプのデータ網を含むがこれらに限定はされない任意のタイプの網環境で使用することができる。
【００１９】
定義
次の定義が、本明細書で、選択システムの諸態様を説明するのに使用される。
【００２０】
１．ローカルエリア−建物、建物のグループ、コミュニティ、都市、郡、またはその中でサービスがブロードキャストできる他の局所的領域などの局所的な地理的区域を指す。
【００２１】
２．ワイドエリア−郡、州、複数の州、国、複数の国、またはその中でサービスがブロードキャストできる他の広い領域などの広い地理的区域を指す。
【００２２】
３．多重−コンテンツフローのグループ化を指す。
【００２３】
４．ワイドエリア多重−少なくとも１つのワイドエリアでブロードキャストされるコンテンツフローのグループ化を指す。
【００２４】
５．ローカルエリア多重−少なくとも１つのローカルエリアでブロードキャストされるコンテンツフローのグループ化を指す。
【００２５】
６．ワイドエリアオペレーションズインフラストラクチャ（Wide Area Operations Infrastructure、ＷＯＩ）−ワイドエリアでコンテンツフローを伝送するように動作する送信機および関連するシステムのグループ化を指す。ＷＯＩは、ワイドエリア多重を搬送できる最小の地理的ワイドエリアにマッピングされる。ワイドエリア多重を、１つまたは複数のＷＯＩ上でブロードキャストすることができる。
【００２６】
７．ローカルエリアオペレーションズインフラストラクチャ（Local Area Operations Infrastructure、ＬＯＩ）−ローカルエリアでコンテンツフローを伝送するように動作する送信機および関連するシステムのグループ化を指す。ＬＯＩは、ローカルエリア多重を搬送できる最小の地理的ローカルエリアにマッピングされる。ローカルエリア多重を、１つまたは複数のＬＯＩ上でブロードキャストすることができる。
【００２７】
８．ＲＦチャネル−選択されたＬＯＩでコンテンツ配布波形を伝えるのに使用されるＲＦ周波数を指す。
【００２８】
９．コンテンツチャネル−特定の配布波形内の選択されたコンテンツフローを指す。たとえば、配布波形は、複数のコンテンツチャネルを備えることができ、各コンテンツチャネルは、１つまたは複数のコンテンツフローを備えることができる。
【００２９】
頭字語(Acronym)
次の頭字語が、選択されたシステムの諸態様を記述するのに本明細書で使用される。
【００３０】
ＬＭ−ローカルエリア多重
ＷＭ−ワイドエリア多重
ＮＯＣ−ネットワークオペレーションズセンタ
ＷＯＩ−ワイドエリアオペレーションズインフラストラクチャ
ＬＯＩ−ローカルエリアオペレーションズインフラストラクチャ
ＮＤＭ−近隣記述メッセージ
ＷＩＤ−ワイドエリアデスクランブリング識別子（wide area descrambling identifier）
ＬＩＤ−ローカルエリアデスクランブリング識別子（local area descrambling identifier）
ＯＩＳ−オーバヘッド情報記号(overhead information symbol)
ＣＣ−制御チャネル
図１に、多周波網でＲＦチャネル選択を提供するためのハンドオフシステムの諸態様の動作を示す網１００を示す。たとえば、網１００は、それぞれが多周波網の１つのＬＯＩ（ＬＯＩ１、ＬＯＩ２、ＬＯＩ３、およびＬＯＩ４）を備える４つのＷＯＩ（それぞれＷＯＩ１、ＷＯＩ２、ＷＯＩ３、およびＷＯＩ４）を備える。各ＬＯＩ内で、１つまたは複数のＲＦチャネルが、コンテンツを伝送するのに使用される。ＬＯＩ２およびＬＯＩ３は、これらのＬＯＩのそれぞれで２つのＲＦチャネルを有する１つの垂直ＭＦＮを有する。ＬＯＩ１およびＬＯＩ４は、１つのＲＦチャネルだけを搬送する。各ＲＦチャネルは、そのＲＦチャネルで伝送されるコンテンツをデスクランブルするのに使用できるデスクランブリングシーケンスを識別する関連するＷＩＤ／ＬＩＤを有する。ＬＯＩ１、ＬＯＩ２、ＬＯＩ３、およびＬＯＩ４は、網１００内に示されているように、近隣ＬＯＩである。ＬＯＩ１は、その近隣としてＬＯＩ２を有し、ＬＯＩ２は、その近隣としてＬＯＩ１、ＬＯＩ３、およびＬＯＩ４を有し、ＬＯＩ３は、その近隣としてＬＯＩ２を有し、ＬＯＩ４は、その近隣としてＬＯＩ２を有する。
【００３１】
網１００は、多周波網の選択されたワイドエリアおよびローカルエリアでの配布のためにワイドコンテンツ多重およびローカルコンテンツ多重を受信するように動作するネットワークオペレーションズセンタ（ＮＯＣ）１０２を備える。ＮＯＣ  １０２は、そのコンテンツを配布するように多周波網を構成するようにも動作する。これを達成するために、ＮＯＣ  １０２は、ＬＯＩによってカバーされる網の地理的領域、各領域内で使用されるＲＦチャネル、ならびに網を構成し、ワイドエリアコンテンツ多重およびローカルエリアコンテンツ多重を配布するのに必要になる可能性があるすべての他の網情報を知っている。網１００が、任意の個数のＬＯＩを備えることができることに留意されたい。
【００３２】
一態様では、ＮＯＣ  １０２は、近隣記述論理１０４を備える。近隣記述論理１０４は、各ＬＯＩの近接ＬＯＩと、各ＬＯＩ内のＲＦチャネルに関連するＷＩＤ／ＬＩＤデスクランブリング識別子とのリストに関連する情報をアセンブルするように動作する。たとえば、ワイドエリアコンテンツ多重およびローカルエリアコンテンツ多重は、網１００を介する伝送の前にワイドエリアおよびローカルエリアのスクランブリングシーケンスを用いてスクランブルされる。一態様では、近隣記述論理１０４は、特定のＬＯＩに関連する近隣ＬＯＩと、特定のＬＯＩおよびその近隣ＬＯＩのＲＦチャネルに関連するデスクランブリングシーケンスを識別するＷＩＤ／ＬＩＤ識別子とのリストを提供するように構成された近隣記述メッセージ（ＮＤＭ）を生成するように動作する。もう１つの態様では、ＮＤＭメッセージは、近隣ＬＯＩと、ＬＯＩの任意の選択されたグループのＲＦチャネルに関連するＷＩＤ／ＬＩＤ識別子とのリストを提供するように構成される。近隣記述論理１０４によって生成されるＮＤＭメッセージのより詳細な説明は、本文書の別のセクションで提供される。
【００３３】
ＮＯＣ  １０２は、ワイドエリア多重およびローカルエリア多重ならびに生成されたＮＤＭを網１００内のＬＯＩに伝送するように動作する。４つのＬＯＩだけが図示されているが、ＮＯＣ  １０２が、多重および関連するＮＤＭを任意の個数のＬＯＩに伝送できることに留意されたい。
【００３４】
一態様では、ＬＯＩ１、ＬＯＩ２、ＬＯＩ３、およびＬＯＩ４は、１つまたは複数の送信機サイトを備える。たとえば、ＬＯＩ１は、送信機サイト１０６を備える。各送信機サイトは、そのそれぞれのＬＯＩを介して選択されたＲＦチャネル上で配布波形を伝送するように動作する。各送信機サイトが、１０８に示されているように１つまたは複数のサーバを備えることに留意されたい。
【００３５】
一態様では、ＮＯＣ  １０２は、任意の適切なトランスポート機構を使用して、コンテンツ多重およびＮＤＭを送信機サイトに伝送するように動作する。たとえば、コンテンツ多重およびＮＤＭは、１１０に示されているように、各送信機サイトに関連するサーバに伝送される。一態様では、ＮＯＣ  １０２は、ＭＰＥＧ−２トランスポート機構を使用して、コンテンツ多重およびＮＤＭメッセージを送信機サイトに伝送する。この構成では、多重およびＮＤＭメッセージは、各送信機サイトのサーバがそれらに向けられた選択されたコンテンツ多重およびＮＤＭメッセージをそれぞれ検出し、受信できるようにするために、ＭＰＥＧ−２トランスポート識別子を割り当てられる。
【００３６】
送信機サイトのサーバは、どの多重およびＮＤＭメッセージがそのそれぞれのＬＯＩを介する配布のためにそれらに宛てられているのかを判定するのに、トランスポート識別子を使用する。次に、サーバは、選択されたＲＦチャネルを介する伝送のために、そのそれぞれの多重およびＮＤＭメッセージを伝送フレームにパックするように動作する。サーバは、多重およびＮＤＭメッセージを伝送のために伝送フレームにパックするのに、任意の適切な物理層プロセスを利用する。そのそれぞれのＬＯＩを介する伝送を意図された多重およびＮＤＭメッセージを判定するのにトランスポート識別子を使用することによって、送信機サイトのサーバは、多重またはＮＤＭメッセージのいずれをも復号する必要がない。サーバは、単純に、適当なトランスポート識別子を検出し、次に、識別される多重およびＮＭＤメッセージを物理層プロセスに従って伝送フレームにパックする。
【００３７】
伝送フレームは、ワイドエリア多重、ローカルエリア多重、および近隣記述論理１０４によって生成されたＮＤＭメッセージに関連するコンテンツフローを備える。一態様では、伝送フレームは、それぞれワイドエリアコンテンツフローおよびローカルエリアコンテンツフローを伝えるのに使用されるワイドデータパーティションおよびローカルデータパーティションを備える。さらに、ワイドパーティションおよびローカルパーティションは、ワイド制御チャネルおよびローカル制御チャネルを備える。一態様では、ローカル制御チャネルは、近隣記述論理１０４によって生成されたＮＤＭメッセージを各ＬＯＩ内のデバイスに配布するのに使用される。
【００３８】
一態様では、送信機サイトは、指定されたＲＦチャネルを使用してそのそれぞれのＬＯＩを介して伝送フレームを伝送する。伝送フレームの伝送にＬＯＩ内の複数のＲＦチャネルを使用することによって、網１００は、そのようなＬＯＩ上でより多くのコンテンツフローを伝送することができる。あるＬＯＩ内の送信機サイトを、同一位置とするか、任意の所望の距離だけ分離することができることに留意されたい。また、各ＬＯＩ上で配布されるＮＤＭが、各ＬＯＩが近隣ＬＯＩの異なるセットを有する場合があるので異なる場合があり、各近隣ＬＯＩが、異なるＲＦチャネルに関連し、伝送されたコンテンツをそれを用いてデスクランブルすべき関連するデスクランブリングシーケンスに関連する場合があることに留意されたい。
【００３９】
各ＬＯＩ内で、デスクランブリングシーケンス識別子は、各ＲＦチャネルに関連する。デスクランブリングシーケンス識別子は、ワイドエリアデスクランブリングシーケンス識別子（ＷＩＤ）およびローカルエリアデスクランブリングシーケンス識別子（ＬＩＤ）を備える。デスクランブリングシーケンス識別子は、特定のＬＯＩ内で特定のＲＦチャネル上で受信されたコンテンツをデスクランブルするのに使用できるデスクランブリングシーケンスを識別する。デスクランブリングシーケンス識別子は、特定のＲＦチャネル上で搬送されるコンテンツ多重をも識別する。たとえば、ＬＯＩ２には、２つのＲＦチャネル（すなわち、ＲＦ２、ＲＦ３）があり、各ＲＦチャネルは、関連付けられたワイドエリアコンテンツ多重およびローカルエリアコンテンツ多重をデスクランブルするのに使用できるデスクランブリングシーケンスを識別するデスクランブリングシーケンス識別子に関連する。たとえば、ＲＦ２は、ＷＩＤ１およびＬＩＤ１に関連し、ワイド多重（wide multiplex）ＷＭ１およびローカル多重（local multiplex）ＬＭ１を搬送し、ＲＦ３は、ＷＩＤ２およびＬＩＤ２に関連し、ワイド多重ＷＭ２およびローカル多重ＬＭ２を搬送する。ＷＩＤ１、ＬＩＤ１、ＷＩＤ２、およびＬＩＤ２は、それぞれ多重ＷＭ１、ＬＭ１、ＷＭ２、およびＬＭ２を識別する。
【００４０】
ＬＯＩ２内で動作するデバイス１１２は、ＷＩＤ１によって識別されるデスクランブリングシーケンスを用いてデスクランブルできる、チャネルＲＦ２上のワイドエリアコンテンツを受信するように同調される。デバイス１１２の詳細を、１１４に示す。デバイス１１２は、伝送フレームを受信するために選択されたＲＦチャネルに同調するように動作する受話器１１６を備える。たとえば、受話器１１６は、伝送フレームを受信するためにＬＯＩ２内のＲＦ２に同調される。受信される伝送フレームは、１つまたは複数のＮＤＭ内で近隣記述情報を伝えるローカル制御チャネルを備える。たとえば、ＮＤＭは、近隣記述論理１０４によって生成され、図１に示されたＬＯＩに配布される。一態様では、ＮＤＭは、デバイスの現在のＬＯＩ（すなわち、デバイス１１２についてはＬＯＩ２）の近隣ＬＯＩと、現在のＬＯＩ（すなわち、ＬＯＩ２）およびその近隣ＬＯＩ（すなわち、ＬＯＩ１、ＬＯＩ３、およびＬＯＩ４）内のＲＦチャネルに関連するデスクランブリングシーケンスを識別するＷＩＤ／ＬＩＤデスクランブリング識別子とのリストを備える。
【００４１】
受話器１１６は、１２２に示されているように、ＮＤＭ内で受信された近隣記述情報（またはＮＤＭ自体）をＲＦハンドオフ論理１１８に渡す。また、受話器１１６は、ＬＯＩ２内のＲＦ２に関連する正しいＷＩＤ／ＬＩＤ識別子を使用して、受信されたコンテンツをデスクランブルし、デスクランブルされたコンテンツを、デバイスユーザのためにコンテンツをレンダリングするように動作する復号器１２０に渡す。
【００４２】
ＲＦハンドオフ論理１１８は、１２２でＮＤＭを受け取るように動作する。ＮＤＭは、所与のＬＯＩの近隣ＬＯＩと所与のＬＯＩおよびその近隣ＬＯＩのＲＦチャネルのＷＩＤ／ＬＩＤ識別子とのリストを指定する。この情報から、ＲＦハンドオフ論理１１８は、デバイスの現在のＬＯＩで搬送されるコンテンツ多重のシームレスハンドオフテーブルおよび部分的シームレスハンドオフテーブルを生成するように動作する。現在のＬＯＩで搬送される所与のコンテンツ多重のシームレスハンドオフテーブルおよび部分的シームレスハンドオフテーブルは、所与のコンテンツ多重を獲得するために切り替えることのできる近隣ＲＦのリストを提供する。シームレスハンドオフテーブルおよび部分的シームレスハンドオフテーブルは、ワイドおよびローカルのコンテンツ多重について別々に計算される。たとえば、近隣ＲＦチャネルは、その近隣ＲＦチャネルが所与のワイドコンテンツ多重を搬送し、その近隣ＲＦチャネルに関連するＬＯＩがワイドコンテンツ多重の、デバイスの現在のＬＯＩと同一のセットまたはスーパーセットを搬送する場合に、現在のＬＯＩ内で搬送される所与のワイドコンテンツ多重に関連するワイドシームレスハンドオフテーブル内にエントリを有する。近隣ＲＦチャネルは、その近隣ＲＦチャネルが所与のワイドコンテンツ多重を搬送し、その近隣ＲＦチャネルに関連するＬＯＩがワイドコンテンツ多重の、デバイスの現在のＬＯＩと同一のセットまたはスーパーセットを搬送しない場合に、現在のＬＯＩ内で搬送される所与のワイドコンテンツ多重に関連するワイド部分的シームレスハンドオフテーブル内にエントリを有する。
【００４３】
一態様では、ＲＦハンドオフが、１つまたは複数のハンドオフイベントに起因して望まれる場合がある。ハンドオフイベントは、ハンドオフ論理１１８に、新しいＲＦチャネルを判定させ、その新しいＲＦチャネルに同調する要求１２４を受話器１１６に送らせる。ハンドオフイベントは、所望のコンテンツフローを受信するために、デバイス１１２にあるＲＦチャネルから別のＲＦチャネルに切り替えさせるイベントである。一態様では、ハンドオフイベントを、所望のコンテンツに関連するコンテンツ獲得失敗（たとえば、デバイスモビリティのゆえの変化するチャネル条件に起因する失敗）によってトリガするか、その失敗の結果として実行することができる。
【００４４】
一態様では、デバイスモビリティに関連するコンテンツ獲得失敗は、デバイス１１２が、ＬＯＩ２によってカバーされる領域から１つまたは複数の近隣ＬＯＩによってカバーされる領域に移動する時に発生する。たとえば、デバイス受話器１１６は、ＬＯＩ２内の特定のＲＦチャネル上で所望のコンテンツフローを受信するように同調される。ハンドオフ論理１１８は、デバイス１１２がＬＯＩ２のカバレッジエリアの外に移動する時にコンテンツ獲得失敗が検出される時に、所望のコンテンツフローを受信し続けるために受話器１１６が同調できる近隣ＬＯＩ内のＲＦチャネルを判定するように動作する。
【００４５】
所望のコンテンツフローを搬送する新しいＲＦチャネルを判定するために、ＲＦハンドオフ論理１１８は、ハンドオフシステムの諸態様で次の機能のうちの１つまたは複数を実行するように動作する。
【００４６】
１．滑らかな遷移をコンテンツ獲得の展望から実行できるようにするために、所望のコンテンツフローを搬送する近隣ＬＯＩ内の使用可能なＲＦチャネルのリストを（受信された近隣記述情報から）判定する。
【００４７】
２．近隣ＲＦチャネルの信号強度を監視する。
【００４８】
３．所望のコンテンツのシームレスハンドオフテーブルおよび部分的シームレスハンドオフテーブルを生成する。これらのテーブルは、使用可能なＲＦチャネルおよびこれらのＲＦチャネルに関連するＬＯＩで使用可能なコンテンツのリストに基づくエントリを備える。
【００４９】
４．シームレステーブルおよび部分的シームレステーブル内でＲＦチャネルをランキングする。
【００５０】
５．シームレスハンドオフテーブルからランクに基づいて選択されたＲＦチャネルを選択する（選択されたＲＦチャネルは、ＲＦ選択判断基準を満足する）。
【００５１】
６．シームレスハンドオフテーブルからの選択が失敗する場合に、部分的シームレスハンドオフテーブルからランクに基づいて選択されたＲＦチャネルを選択する（選択されたＲＦチャネルは、ＲＦ選択判断基準を満足する）。
【００５２】
ＲＦチャネルが判定されたならば、ＲＦハンドオフ論理１１８は、ＲＦハンドオフを実施するために受話器１１６にＲＦチャネル切替メッセージ１２４をアウトプットする。このＲＦチャネル切替メッセージは、所望のコンテンツフローを受話器１１６によってデスクランブルできるようにするために、選択されたＲＦチャネルの正しいＷＩＤ／ＬＩＤ識別子を含む。受話器１１６は、選択されたＲＦチャネルへのＲＦチャネル切替を実行し、チャネル切替メッセージで受け取られたＷＩＤ／ＬＩＤを使用してコンテンツをデスクランブルする。
【００５３】
したがって、さまざまな態様では、ハンドオフシステムは、コンテンツ獲得失敗が所望のコンテンツについて検出された後に所望のコンテンツの受信を継続できるようにするために、多周波網内の使用可能なＲＦチャネルのどれをハンドオフのために選択すべきかを判定するように動作する。ハンドオフシステムは、使用可能なＲＦチャネルをランキングするのに使用されるシームレスハンドオフテーブルおよび部分的シームレスハンドオフテーブルに基づいて、選択されたＲＦチャネルを判定する。したがって、ハンドオフシステムは、ＲＦ選択判断基準を満足する最高のランキングを有する使用可能なＲＦチャネルを選択するように動作する。ＲＦ選択判断基準は、選択されたＲＦチャネルが、十分に大きい受信信号強度インジケータ（received signal strength indicator、ＲＳＳＩ）値を有し、ＲＦハンドオフ判断基準を満足もすることを保証する。ＲＦハンドオフ判断基準の詳細は、本文書の他のセクションで提供される。
【００５４】
図２に、ハンドオフシステムの諸態様で使用される伝送フレーム２００のブロック図を示す。たとえば、伝送フレーム２００を、ワイドおよびローカルのコンテンツ多重と共にパックし、図１に示されたＬＯＩ内のＲＦチャネルを介して伝送することができる。
【００５５】
伝送フレーム２００は、全体的に２０２に示された、ワイドコンテンツおよびローカルコンテンツを伝えるのに使用される４つのサブフレームを備える。たとえば、各サブフレーム２０２は、ワイドエリアコンテンツと共にパックされるワイドエリアパーティション２０４と、ローカルエリアコンテンツと共にパックされるローカルエリアパーティション２０６とを備える。
【００５６】
ワイドエリアパーティション２０４に含まれるのが、ワイドエリア制御チャネル２０８である。ワイドエリア制御チャネル２０８は、ワイドエリアコンテンツ多重に関係するメッセージを伝えるように動作する。ローカルエリアパーティション２０６に含まれるのが、ローカルエリア制御チャネル２１０である。ローカルエリア制御チャネル２１０は、ローカルエリアコンテンツ多重に関係するメッセージを伝えるように動作する。一態様では、ローカルエリア制御チャネルは、ハンドオフシステムの諸態様で使用されるＮＤＭメッセージの一部として近隣記述情報を伝えるのに使用される。
【００５７】
伝送フレーム２００の始めには、サブフレーム２０２にパックされたワイドエリア制御チャネル、ローカルエリア制御チャネル、ならびにワイドおよびローカルのコンテンツを突き止めるのに使用されるオーバヘッド情報を提供するオーバヘッド情報記号（ＯＩＳ）２１２がある。ＯＩＳ  ２１２は、ワイドオーバヘッド情報記号（ＷＯＩＳ）およびローカルオーバヘッド情報記号（ＬＯＩＳ）を備える。
【００５８】
一態様では、コンテンツフローは、サブフレーム２０２の内部のメディア論理チャネル（Media Logical Channel、ＭＬＣ）を使用して伝送される。単一のＭＬＣを、１つまたは複数のコンテンツフローを搬送するのに使用することができる。あるＭＬＣ内のすべてのパケットが、そのＭＬＣの一部として伝送されるデータに追加された冗長度のゆえに正しくは受信されない場合であっても、コンテンツフローデータを成功して獲得することができる。データ獲得は、ＭＬＣパケット消去がＭＬＣの一部として伝送されるデータ内の追加された冗長度に基づく許容される誤りしきい値を超える場合に、あるコンテンツフローについて失敗する。
【００５９】
一態様では、ＮＤＭメッセージに含まれる近隣記述情報は、ＬＯＩごとに別々に生成され、選択されたＬＯＩおよびその近隣ＬＯＩに関連するＲＦチャネルのリストを提供するように構成される。もう１つの態様では、ＮＤＭメッセージは、ＬＯＩ（近隣であってもなくてもよい）の選択されたグループについて生成され、ＬＯＩの選択されたグループ内のＬＯＩのそれぞれについてすべての近接ＬＯＩを含む。近隣記述情報に記述されたＲＦチャネルのそれぞれは、ＷＩＤ／ＬＩＤデスクランブリング記述子に関連する。
【００６０】
一態様では、ＮＤＭメッセージは、あるＬＯＩのＲＦチャネルによって伝送される伝送フレームの一部であるローカル制御チャネルを使用して、そのＬＯＩ上で配布される。ＮＤＭ内で搬送される近隣記述情報を、任意の適切なフォーマットにフォーマットし、符号化または暗号化し、かつ／あるいは複数のメッセージコンポーネントに再編成しまたは分割することができることに留意されたい。
【００６１】
テーブル２１４に、ＮＤＭメッセージ内で供給されるパラメータをどのように編成でき、デバイスで格納できるかを示す。テーブル２１４は、デバイスの現在のＬＯＩ（すなわち、ＬＯＩ２）を識別するＬＯＩ識別子２１６を備える。テーブル２１４は、デバイスの現在のＬＯＩの近隣ＬＯＩおよび現在のＬＯＩ自体を識別する近隣ＬＯＩリスト２１８をも含む。テーブル２１４は、他の制御チャネルメッセージ内で現在のＬＯＩの特定のＲＦチャネルを参照するのに使用できる識別子を示すＲＦチャネル識別子２２０をも含む。ＲＦチャネル識別子２２０が、現在のＬＯＩ（すなわち、ＬＯＩ２）についてのみ提供されることに留意されたい。
【００６２】
テーブル２１４は、近隣ＬＯＩリスト２１８で識別される各ＬＯＩに関連するＲＦ周波数を識別するＲＦ周波数識別子２２２をも備える。テーブル２１４は、各ＲＦ周波数２２２に関連するＷＩＤ／ＬＩＤデスクランブリングシーケンス識別子を識別するＷＩＤ／ＬＩＤ識別子２２４をも備える。したがって、テーブル２１４を、受信するデバイスで作成し、格納し、ハンドオフシステムの動作中に使用することができる。
【００６３】
図３に、ハンドオフシステムの諸態様で使用されるＲＦハンドオフ論理３００を示す。たとえば、ＲＦハンドオフ論理３００は、図１に示されたＲＦハンドオフ論理１１８としての使用に適切である。ＲＦハンドオフ論理３００は、すべてがデータバス３０８に結合された、処理論理３０２、メッセージ復号器３０４、チャネル切替論理３１０、およびオーバヘッドインプット論理３０６を備える。
【００６４】
オーバヘッドインプット論理３０６は、ＣＰＵ、プロセッサ、ゲートアレイ、ハードウェア論理、メモリ要素、および／またはソフトウェアを実行するハードウェアのうちの少なくとも１つを備える。オーバヘッドインプット論理３０６は、デバイスが現在同調されているＲＦチャネルを介してＯＩＳおよび制御チャネルデータを受信するように構成される。オーバヘッドインプット論理３０６は、受信されたＣＣデータをメッセージ復号器３０４に渡す。たとえば、オーバヘッドインプット論理３０６は、図２に示された論理制御チャネルを介して伝送されるＮＤＭメッセージを受信するように動作する。
【００６５】
メッセージ復号器３０４は、ＣＰＵ、プロセッサ、ゲートアレイ、ハードウェア論理、メモリ要素、および／またはソフトウェアを実行するハードウェアのうちの少なくとも１つを備える。一態様では、メッセージ復号器３０４は、制御チャネルインプット論理３０６によって受信されたＮＤＭメッセージを復号するように動作する。たとえば、メッセージ復号器３０４は、現在のＬＯＩおよびその近隣ＬＯＩに関連する使用可能なＲＦチャネルを判定するために、受信されたＮＤＭメッセージを復号するように動作する。メッセージ復号器３０４は、デバイスの現在のＬＯＩおよびその近隣ＬＯＩ内の各ＲＦチャネルに関連するＷＩＤ／ＬＩＤデスクランブリングシーケンス識別子を判定するために、受信されたＮＤＭメッセージを復号する。たとえば、ＮＤＭメッセージ内で受信された情報は、デバイスの現在のＬＯＩおよびその近隣ＬＯＩ内のＲＦチャネルに関連するＷＩＤ／ＬＩＤデスクランブリング識別子を提供するために、図２に示されているように編成され、格納される。
【００６６】
処理論理３０２は、ＣＰＵ、プロセッサ、ゲートアレイ、ハードウェア論理、メモリ要素、および／またはソフトウェアを実行するハードウェアのうちの少なくとも１つを備える。一態様では、処理論理３０２は、変化する網条件（たとえば、デバイスモビリティに起因して）または他の理由に起因する所望のコンテンツに関連するデータ獲得失敗のゆえにＲＦハンドオフが望まれることを示すハンドオフイベントを受け取るように動作する。その場合に、所望のコンテンツの受信を継続するために、所望のコンテンツを搬送する近隣ＬＯＩ内のＲＦチャネルに切り替えるためにハンドオフを実行することが必要である場合がある。
【００６７】
処理論理３０２は、所望のコンテンツのシームレスハンドオフテーブルおよび部分的シームレスハンドオフテーブルを生成するために、ＮＤＭで受信された情報を処理するように動作する。一態様では、処理論理３０２は、所望のコンテンツのＷＩＤ／ＬＩＤに関連する近隣ＬＯＩのＲＦチャネルを備えるためにハンドオフテーブルをアセンブルする。一態様では、同一ＷＩＤに関連する近隣ＲＦチャネルは、同一ワイドエリアコンテンツを搬送し、同一ＬＩＤに関連する近隣ＲＦチャネルは、同一ローカルエリアコンテンツを搬送する。一態様では、ハンドオフテーブルは、ワイド、ローカル、およびワイド＋ローカルのシームレスハンドオフテーブルおよび部分的シームレスハンドオフテーブルを備える。
【００６８】
ハンドオフテーブル内のＲＦチャネルが判定されたならば、処理論理３０２は、これらのＲＦチャネルに関係する信号強度情報を判定するように動作する。たとえば、処理論理３０２は、シームレスハンドオフテーブルおよび部分的シームレスハンドオフテーブル内で識別されるＲＦチャネルに関連する信号強度パラメータを受信するために近隣ＲＦに関するＲＦ監視を実行するように動作する。たとえば、一態様では、この情報が、図１に示された受話器１１６などのデバイス受話器から入手される。
【００６９】
処理論理３０２は、ハンドオフテーブル内の各ＲＦチャネルに関連するＬＯＩで使用可能なコンテンツに関する情報を判定するようにも動作する。たとえば、このコンテンツ情報は、現在のＬＯＩと共通する使用可能な多重の個数および各識別されたＬＯＩ内の使用可能な多重の総数を備える。処理論理３０２は、シームレスハンドオフテーブルおよび部分的シームレスハンドオフテーブル内のＲＦチャネルをランキングするのにこのコンテンツ情報を使用するように動作する。
【００７０】
処理論理３０２は、ハンドオフイベントを受け取るように動作する。ハンドオフイベントは、所望のコンテンツを獲得し続けるために、別のＲＦチャネルへのハンドオフが必要であることを示す。たとえば、ハンドオフイベントは、たとえば変化する網条件に起因する、所望のコンテンツのコンテンツ獲得失敗のゆえにハンドオフが望まれることを示すことができる。
【００７１】
所望のコンテンツについてハンドオフイベントが検出されたならば、処理論理３０２は、ハンドオフに関して選択されたＲＦチャネルを判定するために、所望のコンテンツに関連するシームレスハンドオフテーブル内のＲＦチャネルを処理するように動作する。関連するシームレスハンドオフテーブルにＲＦチャネルがない場合、または、関連するシームレスハンドオフテーブル内のＲＦチャネルのどれもがＲＦ選択判断基準を満足しない場合には、処理論理３０２は、ハンドオフに関して選択されたＲＦチャネルを判定するために、所望のコンテンツに関連する部分的シームレスハンドオフテーブル内のＲＦチャネルを処理する。処理論理３０２は、シームレスハンドオフテーブルおよび部分的シームレスハンドオフテーブル内のＲＦチャネルをそのランキングの順で処理するように動作する。選択されたＲＦチャネルが判定されたならば、処理論理３０２は、このＲＦチャネルのアイデンティティをチャネル切替論理３１０に渡す。ハンドオフテーブルから選択されたＲＦチャネルを選択するための処理論理３０２の動作のより詳細な説明およびＲＦ選択判断基準の詳細は、本文書の別のセクションで提供される。
【００７２】
チャネル切替論理３１０は、ＣＰＵ、プロセッサ、ゲートアレイ、ハードウェア論理、メモリ要素、および／またはソフトウェアを実行するハードウェアのうちの少なくとも１つを備える。チャネル切替論理３１０は、選択されたＲＦチャネルのアイデンティティおよびそのＷＩＤ／ＬＩＤデスクランブリングシーケンス識別子を備えるＲＦチャネル切替メッセージを生成するように動作する。ＲＦチャネル切替メッセージは、デバイス受話器１１６に送られる。この情報を用いて、受話器１１６は、選択されたＲＦチャネルにすばやく切り替え、所望のコンテンツを受信するのに受け取られたＷＩＤ／ＬＩＤデスクランブリングシーケンスを使用することができる。したがって、ハンドオフ中に、所望のコンテンツを提供し、ＲＦ選択判断基準を満足し、質を高められたユーザ経験に関する関連するＬＯＩ内で搬送される共通コンテンツ（現在のＬＯＩとの）および追加コンテンツの展望から最も高くランキングされる、ＲＦチャネルを選択することができる。
【００７３】
一態様では、ハンドオフシステムは、少なくとも１つのプロセッサ、たとえば処理論理３０２のプロセッサによって実行される時にコンピュータに本明細書に記載の機能を提供させる、機械可読媒体上に格納されまたはそこで実施される１つまたは複数のプログラム命令（「命令」）または「コード」のセットを有するコンピュータプログラム製品を備える。たとえば、コードのセットを、フロッピディスク、ＣＤＲＯＭ、メモリカード、フラッシュメモリデバイス、ＲＡＭ、ＲＯＭ、またはＲＦハンドオフ論理３００にインターフェースする任意の他のタイプのメモリデバイスもしくは機械可読媒体などの機械可読媒体からＲＦハンドオフ論理３００にロードすることができる。もう１つの態様では、コードのセットを、外部デバイスまたは網リソースからＲＦハンドオフ論理３００にダウンロードすることができる。コードのセットは、実行された時に、コンピュータに、本明細書に記載のハンドオフシステムの諸態様を提供させる。
【００７４】
ＲＦチャネル監視
一態様では、デバイスのハンドオフシステムは、デバイスの現在のＬＯＩおよび近隣ＬＯＩ内で搬送されるＲＦチャネルの信号強度に関連する情報を維持するために、これらのＲＦチャネルの監視を実行するように動作する。たとえば、処理論理３０２は、現在のＬＯＩおよび近隣ＬＯＩ内のＲＦチャネルの受信信号強度インジケータ（ＲＳＳＩ）を入手するように動作する。使用可能なＲＦチャネルごとに、処理論理３０２は、ＲＳＳＩ測定値に関連するタイムスタンプをも維持することができる。ＲＳＳＩ測定値に関連するタイムスタンプを、古いＲＳＳＩエントリを無効化するのに使用することができる。処理論理３０２は、ローカルメモリ内で、ＲＦチャネル監視情報のテーブルを維持するように動作する。ハンドオフ中に、処理論理３０２は、ハンドオフの目的でＲＦチャネルを選択するために、ＲＦチャネル監視中に収集された情報を利用する。たとえば、信号強度情報は、ハンドオフの目的でシームレスハンドオフテーブルおよび部分的シームレスハンドオフテーブル内のＲＦチャネルを評価するのに使用される。
【００７５】
ワイドおよびローカルのコンテンツハンドオフ
一態様では、ハンドオフシステムは、ハンドオフイベントに基づいてＲＦハンドオフを開始するように動作する。ＲＦハンドオフを、ワイドコンテンツフローおよび／またはローカルコンテンツフローについて開始することができる。一態様では、デバイスが、所望のワイドコンテンツフローだけを復号することを試みており、コンテンツ獲得失敗が検出される場合に、ワイドコンテンツＲＦハンドオフが開始される。一態様では、デバイスが、所望のローカルコンテンツフローだけを復号することを試みており、コンテンツ獲得失敗が検出される場合に、ローカルコンテンツＲＦハンドオフが開始される。もう１つの態様では、デバイスが、所望のワイドフロー（wide flow）とローカルフロー（local flow）との両方の復号を試みており、コンテンツ獲得失敗が検出される場合に、ワイド＋ローカルコンテンツＲＦハンドオフが開始される。ワイドコンテンツＲＦハンドオフは、少なくとも所望のワイドコンテンツを搬送するＲＦへのハンドオフを目標とする。ローカルコンテンツＲＦハンドオフは、少なくとも所望のローカルコンテンツを搬送するＲＦへのハンドオフを目標とし、ワイド＋ローカルコンテンツＲＦハンドオフは、所望のワイドコンテンツとローカルコンテンツとの両方を搬送するＲＦへのハンドオフを目標とする。特定のＲＦハンドオフタイプ（ワイド、ローカル、またはワイド＋ローカル）は、関連するシームレスハンドオフテーブルまたは部分的シームレスハンドオフテーブル内のＲＦチャネルへのハンドオフを開始する。たとえば、ワイドコンテンツＲＦハンドオフは、所望のワイドコンテンツに関連するシームレスハンドオフテーブルまたは部分的シームレスハンドオフテーブル内のＲＦチャネルへのハンドオフを開始する。
【００７６】
リアルタイムおよび非リアルタイムのコンテンツハンドオフ
デバイスが、リアルタイムコンテンツフローを獲得することを試みており、コンテンツ獲得失敗が発生する時に、ハンドオフイベントを開始することができる。デバイスが、非リアルタイムコンテンツフローを獲得することを試みており、コンテンツ獲得失敗が発生する時にも、ハンドオフイベントを開始することができる。リアルタイムフローを、アクティブ化されたフローとも称し、非リアルタイムフローを、登録されたフローとも称する。これらのフローのデータを取り込むためのデータ獲得手順を、さまざまな形で実行することができる。たとえば、アクティブ化された（リアルタイム）フローおよび登録された（非リアルタイム）フローのデータを取り込む１つのデータ獲得手順は、上で参照した特許出願（２００７年４月４日に出願した米国特許仮出願第６０／９１０１９１号明細書、名称「ｍｅｔｈｏｄｓ  ａｎｄ  Ａｐｐａｒａｔｕｓ  ｆｏｒ  Ｐｒｏｖｉｄｉｎｇ  Ｆｌｏｗ  Ｄａｔａ  Ａｃｑｕｉｓｉｔｉｏｎ  Ｐｒｉｏｒｉｔｙ  Ｓｃｈｅｍｅ  ｉｎ  ａ  Ｍｕｌｔｉｐｌｅ  Ｆｒｅｑｕｅｎｃｙ  Ｎｅｔｗｏｒｋ」、および２００７年６月２０日に出願した米国特許仮出願第６０／９４５３１７号明細書、名称「Ｍｅｔｈｏｄｓ  Ａｎｄ  Ａｐｐａｒａｔｕｓ  ｆｏｒ  Ｐｒｏｖｉｄｉｎｇ  Ｆｌｏｗ  Ｄａｔａ  Ａｃｑｕｉｓｉｔｉｏｎ  Ｐｒｉｏｒｉｔｙ  Ｓｃｈｅｍｅ  ｉｎ  ａ  Ｍｕｌｔｉｐｌｅ  Ｆｒｅｑｕｅｎｃｙ  Ｎｅｔｗｏｒｋ」）で提供される。ＲＦハンドオフを実行するハンドオフプロセスは、アクティブ化されたフローと登録されたフローとの両方について同一であるが、ハンドオフプロセスは、アクティブ化されたフローおよび登録されたフローについて異なるタイマ周期で動作する場合がある。アクティブ化されたフローおよび登録されたフローのハンドオフプロセスの詳細な説明は、本文書の他のセクションに取り込まれている。
【００７７】
ハンドオフイベントトリガ判断基準
一態様では、ハンドオフイベントは、アクティブ化されたフローおよび登録されたフローに関連するある種の判断基準によってトリガされる。ハンドオフイベントトリガ判断基準は、アクティブ化されたフローおよび登録されたフローについて別々に評価される。アクティブ化されたフローと登録されたフローとの両方が復号されつつある場合に、ハンドオフイベントトリガ判断基準は、アクティブ化されたフローだけについて評価される。これは、アクティブ化されたフロー（すなわち、リアルタイムフロー）が、登録されたフロー（すなわち、非リアルタイムフロー）より高い優先順位を与えられるからである。ＯＩＳおよび制御チャネル（ＣＣ）を含むオーバヘッド情報の適当なセットを獲得することの失敗は、アクティブ化されたフローと登録されたフローとの両方についてハンドオフイベントをトリガする。このオーバヘッド情報は、アクティブ化されたフローおよび登録されたフローのフローデータを獲得するのに使用される。
【００７８】
さまざまな態様では、次の条件のうちの１つまたは複数が、アクティブ化されたフローのハンドオフイベントをトリガする。
【００７９】
１．適当なＯＩＳおよび制御チャネル（ＣＣ）（必要な場合）の獲得が、所望のワイドおよび／またはローカルのアクティブ化されたフローについて失敗する。たとえば、ワイドのアクティブ化されたフローだけが復号されつつある場合に、ＷＯＩＳおよびワイドＣＣが、現在のＲＦで失敗する。
【００８０】
２．データ獲得が、現在のＲＦ上のすべてのアクティブ化されたフローについて失敗する。
【００８１】
３．ワイドとローカルとの両方のアクティブ化されたフローが現在のＲＦチャネル上で復号されつつある場合に、ローカルＯＩＳおよびローカルＣＣ（必要な場合）の獲得が失敗する。
【００８２】
４．現在のＲＦ上のアクティブ化されたフローのサブセットについてデータ獲得が失敗する。
【００８３】
登録されたフローの獲得について、デバイスは、選択されたフローグループ（ＦＧ）を判定し、選択されたＦＧに関連する登録されたフローを復号することを試みる。たとえば、一態様では、フローグループは、優先順位など、選択された判断基準に基づいて一緒にグループ化される非リアルタイムデータフローのグループ化を備える。フローグループのさまざまなタイプの例が、上で参照した特許出願（２００７年４月４日に出願した米国特許仮出願第６０／９１０１９１号明細書、名称「ｍｅｔｈｏｄｓ  ａｎｄ  Ａｐｐａｒａｔｕｓ  ｆｏｒ  Ｐｒｏｖｉｄｉｎｇ  Ｆｌｏｗ  Ｄａｔａ  Ａｃｑｕｉｓｉｔｉｏｎ  Ｐｒｉｏｒｉｔｙ  Ｓｃｈｅｍｅ  ｉｎ  ａ  Ｍｕｌｔｉｐｌｅ  Ｆｒｅｑｕｅｎｃｙ  Ｎｅｔｗｏｒｋ」、および２００７年６月２０日に出願した米国特許仮出願第６０／９４５３１７号明細書、名称「Ｍｅｔｈｏｄｓ  Ａｎｄ  Ａｐｐａｒａｔｕｓ  ｆｏｒ  Ｐｒｏｖｉｄｉｎｇ  Ｆｌｏｗ  Ｄａｔａ  Ａｃｑｕｉｓｉｔｉｏｎ  Ｐｒｉｏｒｉｔｙ  Ｓｃｈｅｍｅ  ｉｎ  ａ  Ｍｕｌｔｉｐｌｅ  Ｆｒｅｑｕｅｎｃｙ  Ｎｅｔｗｏｒｋ」）で提供される。デバイスは、選択されたＦＧと同一のＲＦチャネルによって搬送されるすべての他の登録されたフローを復号することをも試みる。さまざまな態様では、次の条件のうちの１つまたは複数が、登録されたフローに関するハンドオフイベントをトリガする。
【００８４】
１．選択されたフローグループ（ＦＧ）内のワイドおよび／またはローカルの登録されたフローについて適当なＯＩＣおよびＣＣ（必要な場合）の獲得が失敗する。たとえば、選択されたＦＧがワイドの登録されたフローだけを有する場合に、ＷＯＩＳおよびワイドＣＣが失敗する。
【００８５】
２．選択されたＦＧ内のすべての登録されたフローについて、データ獲得が失敗する。
【００８６】
３．選択されたＦＧがワイドとローカルとの両方の登録されたフローを含む場合に、ローカルＯＩＳおよびローカルＣＣ（必要な場合）の獲得が失敗する。
【００８７】
４．選択されたＦＧ内の登録されたフローのサブセットについて、データ獲得が失敗する。
【００８８】
シームレスハンドオフテーブル
一態様では、ハンドオフシステムは、現在のＬＯＩ内のＲＦチャネル上で搬送されるワイドおよびローカルのコンテンツ多重についてシームレスハンドオフテーブルを生成し、維持するように動作する。一態様では、所与のワイドまたはローカルのコンテンツ多重に関するシームレスハンドオフテーブルは、それぞれ同一の所与のワイドまたはローカルのコンテンツ多重を搬送する近隣ＲＦチャネルを含み、それらの近隣ＲＦチャネルに関連するＬＯＩは、現在のＬＯＩ内で搬送されるものと同一の、ワイドまたはローカルのコンテンツ多重のセットまたはスーパーセットを搬送する。一態様では、ワイド＋ローカル多重の所与の組合せに関するシームレスハンドオフテーブルは、ワイド＋ローカルコンテンツ多重の同一の組合せを搬送する近隣ＲＦチャネルを含み、それらの近隣ＲＦに関連するＬＯＩは、現在のＬＯＩ内で搬送されるものと同一の、ワイドおよびローカルのコンテンツ多重のセットまたはスーパーセットを搬送する。所与のシームレスハンドオフテーブルに含まれる近隣ＲＦを、関連するコンテンツ多重（１つまたは複数）のシームレスＲＦと称する。
【００８９】
次のタイプのシームレスハンドオフテーブルが維持される。
【００９０】
ａ．ワイドシームレスハンドオフテーブル  現在のＬＯＩ内で搬送されるワイドコンテンツ多重ごとに、別々のワイドシームレスハンドオフテーブルが生成され、維持される。このテーブルは、同一のワイドコンテンツ多重を搬送する近隣ＲＦチャネルを識別し、それらに関連するＬＯＩは、現在のＬＯＩと同一の、ワイドコンテンツ多重のセットまたはスーパーセットを搬送する。
【００９１】
ｂ．ローカルシームレスハンドオフテーブル  現在のＬＯＩ内で搬送されるローカルコンテンツ多重ごとに、別々のローカルシームレスハンドオフテーブルが生成され、維持される。このテーブルは、同一のローカルコンテンツ多重を搬送する近隣ＲＦチャネルを識別し、それらに関連するＬＯＩは、現在のＬＯＩと同一の、ローカルコンテンツ多重のセットまたはスーパーセットを搬送する。
【００９２】
ｃ．ワイド＋ローカルシームレスハンドオフテーブル  現在のＬＯＩ内で単一ＲＦ上で搬送されるワイド＋ローカルコンテンツ多重の組合せごとに、別々のワイド＋ローカルシームレスハンドオフテーブルが生成され、維持される。このテーブルは、ワイド＋ローカルコンテンツ多重の同一の組合せを搬送する近隣ＲＦチャネルを識別し、それらに関連するＬＯＩは、現在のＬＯＩと同一の、ワイド＋ローカルコンテンツ多重のセットまたはスーパーセットを搬送する。
【００９３】
近隣ＲＦによって搬送されるコンテンツに応じて、シームレスハンドオフテーブルは、現在のＬＯＩ内で搬送されるコンテンツ多重（ワイド、ローカル、またはワイド＋ローカル）の１つまたは複数について空になる場合がある。一態様では、シームレスハンドオフテーブルは、シームレスＲＦチャネルごとに、ｉ）そのシームレスＲＦチャネルに関連するＬＯＩとデバイスの現在のＬＯＩとの間で共通するワイドおよびローカルのコンテンツ多重の総数と、ｉｉ）そのシームレスＲＦチャネルに関連するＬＯＩ内で搬送されるコンテンツ多重の全体的な総数とに関連する情報を維持する。シームレスＲＦチャネルについて維持される情報（ｉ）および（ｉｉ）は、ＲＦハンドオフを実行するためにこれらのＲＦチャネルをランキングするのに使用される。
【００９４】
図４に、ハンドオフシステムの諸態様でワイドまたはローカルのシームレスハンドオフテーブルとしての使用に適用可能な例示的なシームレスハンドオフテーブル４００を示す。一態様では、シームレスハンドオフテーブル４００は、処理論理３０２によって生成される。シームレスハンドオフテーブル４００は、このシームレスハンドオフテーブルがそれに関して生成されたワイドまたはローカルのコンテンツ多重を識別するコンテンツ多重識別子４０２を備える。シームレスハンドオフテーブル４００は、コンテンツ多重識別子４０２によって識別されるワイドまたはローカルのコンテンツ多重を搬送するＲＦ周波数および関連する近隣ＬＯＩを識別する｛ＲＦ，ＬＯＩ｝識別子４０４をも備える。シームレスハンドオフテーブル４００は、識別されたシームレスＲＦに関連するＬＯＩと現在のＬＯＩとの間で共通する多重の総数を示す共通多重の総数インジケータ４０６をも備える。シームレスハンドオフテーブル４００は、識別されたシームレスＲＦに関連するＬＯＩ内で使用可能な多重の総数を示す多重の総数インジケータ４０８をも備える。
【００９５】
図５に、ハンドオフシステムの諸態様でワイド＋ローカルシームレスハンドオフでの使用に適用可能な例示的なワイド＋ローカルシームレスハンドオフテーブル５００を示す。一態様では、ワイド＋ローカルシームレスハンドオフテーブル５００は、処理論理３０２によって生成される。ワイド＋ローカルシームレスハンドオフテーブル５００は、このシームレスハンドオフテーブルがそれに関して生成されるワイド＋ローカルコンテンツ多重の組合せを識別するコンテンツ多重識別子５０２を備える。ワイド＋ローカルシームレスハンドオフテーブル５００は、コンテンツ多重識別子５０２によって識別されるワイド＋ローカルコンテンツ多重を搬送するＲＦ周波数および関連する近隣ＬＯＩを識別する｛ＲＦ，ＬＯＩ｝識別子５０４をも備える。シームレスハンドオフテーブル５００は、識別されたシームレスＲＦに関連するＬＯＩ内で使用可能な多重の総数を示す多重の総数インジケータ５０６をも備える。
【００９６】
部分的シームレスハンドオフテーブル
一態様では、ハンドオフシステムは、現在のＬＯＩ内のＲＦチャネル上で搬送されるワイドおよびローカルのコンテンツ多重の部分的シームレスハンドオフテーブルを生成し、維持するように動作する。一態様では、所与のワイドまたはローカルのコンテンツ多重の部分的シームレスハンドオフテーブルは、それぞれ同一の所与のワイドまたはローカルのコンテンツ多重を搬送する近隣ＲＦチャネルを含み、これらの近隣ＲＦに関連するＬＯＩは、現在のＬＯＩ内で搬送されるものと同一の、それぞれワイドまたはローカルのコンテンツ多重のセットまたはスーパーセットを搬送しない。一態様では、ワイド＋ローカル多重の所与の組合せの部分的シームレスハンドオフテーブルは、ワイド＋ローカルコンテンツ多重の同一の組合せを搬送する近隣ＲＦチャネルを含み、これらの近隣ＲＦに関連するＬＯＩは、現在のＬＯＩ内で搬送されるものと同一の、ワイドおよびローカルのコンテンツ多重のセットまたはスーパーセットを搬送しない。所与の部分的シームレスハンドオフテーブルに含まれる近隣ＲＦを、関連するコンテンツ多重（１つまたは複数）の部分的シームレスＲＦと称する。この定義により、所与のコンテンツ多重のシームレスＲＦの集合および部分的シームレスＲＦの集合は、互いに素である。
【００９７】
さまざまな態様では、次のタイプの部分的シームレスハンドオフテーブルが維持される。
【００９８】
ａ．ワイド部分的シームレスハンドオフテーブル  現在のＬＯＩ内で搬送されるワイドコンテンツ多重ごとに、別々のワイド部分的シームレスハンドオフテーブルが生成され、維持される。このテーブルは、同一のワイドコンテンツ多重を搬送する近隣ＲＦチャネルを識別し、それらに関連するＬＯＩは、現在のＬＯＩと同一のワイドコンテンツ多重のセットまたはスーパーセットを搬送しない。
【００９９】
ｂ．ローカル部分的シームレスハンドオフテーブル  現在のＬＯＩ内で搬送されるローカルコンテンツ多重ごとに、別々のローカル部分的シームレスハンドオフテーブルが生成され、維持される。このテーブルは、同一のローカルコンテンツ多重を搬送する近隣ＲＦチャネルを識別し、それらに関連するＬＯＩは、現在のＬＯＩと同一のローカルコンテンツ多重のセットまたはスーパーセットを搬送しない。
【０１００】
ｃ．ワイド＋ローカル部分的シームレスハンドオフテーブル  現在のＬＯＩ内で単一ＲＦ上で搬送されるワイド＋ローカルコンテンツ多重の組合せごとに、別々のワイド＋ローカル部分的シームレスハンドオフテーブルが生成され、維持される。このテーブルは、ワイド＋ローカルコンテンツ多重の同一の組合せを搬送する近隣ＲＦチャネルを識別し、それらに関連するＬＯＩは、現在のＬＯＩと同一のワイド＋ローカルコンテンツ多重のセットまたはスーパーセットを搬送しない。
【０１０１】
近隣ＲＦによって搬送されるコンテンツに応じて、部分的シームレスハンドオフテーブルが、現在のＬＯＩ内で搬送されるコンテンツ多重（ワイド、ローカル、またはワイド＋ローカル）の１つまたは複数について空になる場合がある。一態様では、部分的シームレスハンドオフテーブルは、部分的シームレスＲＦチャネルごとに、ｉ）その部分的シームレスＲＦチャネルに関連するＬＯＩとデバイスの現在のＬＯＩとの間で共通するワイドおよびローカルのコンテンツ多重の総数と、ｉｉ）その部分的シームレスＲＦチャネルに関連するＬＯＩ内で搬送されるコンテンツ多重の全体的な総数とに関連する情報を維持する。部分的シームレスＲＦチャネルについて維持される情報（ｉ）および（ｉｉ）は、ＲＦハンドオフを実行するためにこれらのＲＦチャネルをランキングするのに使用される。
【０１０２】
図６に、ハンドオフシステムの諸態様でワイド、ローカル、またはワイド＋ローカルの部分的シームレスハンドオフテーブルとしての使用に適用可能な例示的な部分的シームレスハンドオフテーブル６００を示す。一態様では、部分的シームレスハンドオフテーブル６００は、処理論理３０２によって生成される。部分的シームレスハンドオフテーブル６００は、この部分的シームレスハンドオフテーブルがそれに関して生成されるワイド、ローカル、またはワイド＋ローカルのコンテンツ多重を識別するコンテンツ多重識別子６０２を備える。部分的シームレスハンドオフテーブル６００は、コンテンツ多重識別子６０２によって識別されるワイド、ローカル、またはワイド＋ローカルのコンテンツ多重を搬送するＲＦ周波数および関連する近隣ＬＯＩを識別する｛ＲＦ，ＬＯＩ｝識別子６０４をも備える。
【０１０３】
部分的シームレスハンドオフテーブル６００は、識別された部分的シームレスＲＦに関連するＬＯＩと現在のＬＯＩとの間で共通する多重の総数を示す共通多重の総数インジケータ６０６をも備える。部分的シームレスハンドオフテーブル６００は、識別された部分的シームレスＲＦに関連するＬＯＩ内で使用可能な多数の総数を示す多重の総数インジケータ６０８をも備える。
【０１０４】
ハンドオフテーブルの例
図１３に、ハンドオフシステムの諸態様で使用されるシームレスハンドオフテーブル１３００の例を示す。たとえば、デバイス１１２が、現在はＬＯＩ２内に位置し、ＬＯＩ２内でＲＦ２またはＲＦ３上で伝送されるＷＩＤ１、ＷＩＤ２、ＬＩＤ１、ＬＩＤ２に関連するコンテンツ多重を受信するように動作可能であると仮定する。したがって、シームレスハンドオフテーブル１３００は、図１に示された網構成でのコンテンツの配布が、ＬＯＩ２内で動作するデバイス１１２に関係するので、そのコンテンツの配布を反映する。
【０１０５】
ＬＯＩ２内のワイドコンテンツに関連するワイドシームレスハンドオフテーブルを、１３０２および１３０４に示す。ワイドシームレスハンドオフテーブル１３０２は、ＷＩＤ１によって識別されるワイドコンテンツ多重に関連し、同一のワイドコンテンツ多重を搬送するＬＯＩ３内のシームレスＲＦチャネルＲＦ４を含む。さらに、テーブル１３０２は、ＬＯＩ３が、ＬＯＩ２と共通する４つの多重を有し、ＬＯＩ３内で搬送される多重の総数が、４つであることを示す。
【０１０６】
ワイドシームレスハンドオフテーブル１３０４は、ＷＩＤ２によって識別されるワイドコンテンツ多重に関連し、同一のワイドコンテンツ多重を搬送するＬＯＩ３内のシームレスＲＦチャネルＲＦ５を含む。さらに、テーブル１３０４は、ＬＯＩ３が、ＬＯＩ２と共通する４つの多重を有し、ＬＯＩ３内で搬送される多重の総数が、４つであることを示す。
【０１０７】
ローカルシームレスハンドオフテーブルを、１３０６および１３０８に示す。ローカルシームレスハンドオフテーブル１３０６は、ＬＩＤ１によって識別されるローカルコンテンツ多重に関連し、同一のローカルコンテンツ多重を搬送するＬＯＩ３内のシームレスＲＦチャネルＲＦ４を含む。さらに、テーブル１３０６は、ＬＯＩ３が、ＬＯＩ２と共通する４つの多重を有し、ＬＯＩ３内の多重の総数が、４つであることを示す。
【０１０８】
ローカルシームレスハンドオフテーブル１３０８は、ＬＩＤ２によって識別されるローカルコンテンツ多重に関連し、同一のローカルコンテンツ多重を搬送するＬＯＩ３内のシームレスＲＦチャネルＲＦ５を含む。さらに、テーブル１３０８は、ＬＯＩ３が、ＬＯＩ２と共通する４つの多重を有し、ＬＯＩ３内の多重の総数が、４つであることを示す。
【０１０９】
ワイド＋ローカルシームレスハンドオフテーブルを、１３１０および１３１２に示す。ワイド＋ローカルシームレスハンドオフテーブル１３１０は、ＷＩＤ１＋ＬＩＤ１によって識別されるワイド＋ローカルコンテンツ多重の組合せに関連し、ワイド＋ローカルコンテンツ多重の同一の組合せを搬送するＬＯＩ３内のシームレスＲＦチャネルＲＦ４を含む。さらに、テーブル１３１０は、ＬＯＩ３内の多重の総数が、４つであることを示す。
【０１１０】
ワイド＋ローカルシームレスハンドオフテーブル１３１２は、ＷＩＤ２＋ＬＩＤ２によって識別されるワイド＋ローカルコンテンツ多重の組合せに関連し、ワイド＋ローカルコンテンツ多重の同一の組合せを搬送するＬＯＩ３内のシームレスＲＦチャネルＲＦ５を含む。さらに、テーブル１３０８は、ＬＯＩ３内の多重の総数が、４つであることを示す。
【０１１１】
したがって、シームレスハンドオフテーブル１３００は、ＬＯＩ２内のワイドおよび／またはローカルのコンテンツ多重、これらのコンテンツ多重のシームレスＲＦチャネルおよびそれらに関連するＬＯＩ識別子、ならびにハンドオフシステムの諸態様で使用されるシームレスＲＦに関連するＬＯＩの多重情報を識別する。
【０１１２】
図１４に、ハンドオフシステムの諸態様で使用される部分的シームレスハンドオフテーブル１４００の例を示す。たとえば、デバイス１１２が、現在はＬＯＩ２内に位置し、ＬＯＩ２内でＲＦ２またはＲＦ３上で伝送されるＷＩＤ１、ＷＩＤ２、ＬＩＤ１、ＬＩＤ２に関連するコンテンツ多重を受信するように動作可能であると仮定する。したがって、部分的シームレスハンドオフテーブル１４００は、図１に示された網構成でのコンテンツの配布が、ＬＯＩ２内で動作するデバイス１１２に関係するので、そのコンテンツの配布を反映する。
【０１１３】
ワイド部分的シームレスハンドオフテーブルを、１４０２に示す。ワイド部分的シームレスハンドオフテーブル１４０２は、ＷＩＤ１によって識別されるワイドコンテンツ多重に関連し、同一のワイドコンテンツ多重を搬送するＬＯＩ１内の部分的シームレスＲＦチャネルＲＦ１およびＬＯＩ４内のＲＦ６を含む。ＬＯＩ１について、テーブル１４０２は、ＬＯＩ１がＬＯＩ２と共通する１つの多重を有することと、ＬＯＩ１内の多重の総数が２つであることとを示す。ＬＯＩ４について、テーブル１４０２は、ＬＯＩ４がＬＯＩ２と共通する２つの多重を有することと、ＬＯＩ４内の多重の総数が２つであることとを示す。
【０１１４】
ローカル部分的シームレスハンドオフテーブルを、１４０４に示す。ローカル部分的シームレスハンドオフテーブル１４０４は、ＬＩＤ１によって識別されるローカルコンテンツ多重に関連し、同一のローカルコンテンツ多重を搬送するＬＯＩ４内の部分的シームレスＲＦチャネルＲＦ６を含む。さらに、テーブル１４０４は、ＬＯＩ４がＬＯＩ２と共通する２つの多重を有することと、ＬＯＩ４内の多重の総数が２つであることとを示す。
【０１１５】
ワイド＋ローカル部分的シームレスハンドオフテーブルを、１４０６に示す。ワイド＋ローカル部分的シームレスハンドオフテーブル１４０６は、ＷＩＤ１＋ＬＩＤ１によって識別されるワイド＋ローカルコンテンツ多重の組合せに関連し、ワイド＋ローカルコンテンツ多重の同一の組合せを搬送するＬＯＩ４内のシームレスＲＦチャネルＲＦ６を含む。さらに、テーブル１４０６は、ＬＯＩ４がＬＯＩ２と共通する２つの多重を有することと、ＬＯＩ４内の多重の総数が２つであることとを示す。ＷＩＤ２、ＬＩＤ２、およびＷＩＤ２＋ＬＩＤ２に関する部分的シームレスハンドオフテーブルが空であり、したがって図示されていないことに留意されたい。
【０１１６】
したがって、部分的シームレスハンドオフテーブル１４００は、ＬＯＩ２内のワイドおよび／またはローカルのコンテンツ多重、これらのコンテンツ多重に関する部分的シームレスＲＦチャネルおよびそれらに関連するＬＯＩ識別子、ならびにハンドオフシステムの諸態様で使用される部分的シームレスＲＦに関連するＬＯＩに関する多重情報を識別する。
【０１１７】
ＲＦチャネルのランキング
一態様で、シームレスハンドオフテーブルおよび部分的シームレスハンドオフテーブル内のＲＦチャネルは、これらのテーブル内で維持される情報に基づいてランキングされる。シームレスハンドオフテーブルおよび部分的シームレスハンドオフテーブルに含まれる近隣ＲＦチャネルは、ｉ）近隣ＲＦチャネルに関連するＬＯＩとデバイスの現在のＬＯＩとの間で共通するワイドおよび／またはローカルのコンテンツ多重の個数の最大化と、ｉｉ）近隣ＲＦチャネルに関連するＬＯＩ内のコンテンツ多重の全体的総数の最大化とを達成するために、ランキングされる。近隣のシームレスＲＦチャネルおよび部分的シームレスＲＦチャネルは、質を高められたユーザ経験を提供するために、ハンドオフ実行のためにそのランキング順で評価される。さまざまな態様では、ワイドまたはローカルのシームレスハンドオフテーブル内の近隣ＲＦチャネルが、次のようにランキングされる。
【０１１８】
１．より多数の共通する多重（デバイスの現在のＬＯＩとの）を関連するＬＯＩ内に有するＲＦチャネルが、より高いランクを割り当てられる。
【０１１９】
２．デバイスの現在のＬＯＩと共通する同一個数の多重を有するＲＦチャネルの中では、関連するＬＯＩ内でより多数の全体的多重を有するＲＦチャネルが、より高いランクを割り当てられる。
【０１２０】
３．同一個数の全体的多重を有するＲＦチャネルの中では、ＲＦチャネルに、任意のランダムな順でランキングを割り当てることができる。
【０１２１】
さまざまな態様では、ワイド＋ローカルシームレスハンドオフテーブル内の近隣ＲＦチャネルは、次のようにランキングされる。
【０１２２】
１．関連するＬＯＩ内により多数の全体的多重を有するＲＦチャネルが、より高いランクを割り当てられる。
【０１２３】
２．同一個数の全体的多重を有するＲＦチャネルの中では、ＲＦチャネルに、任意のランダムな順でランキングを割り当てることができる。
【０１２４】
さまざまな態様では、ワイド、ローカル、およびワイド＋ローカルの部分的シームレスハンドオフテーブル内の近隣ＲＦチャネルは、次のようにランキングされる。
【０１２５】
１．関連するＬＯＩ内により多数の共通する多重（現在のＬＯＩと）を有するＲＦチャネルが、より高いランクを割り当てられる。
【０１２６】
２．関連するＬＯＩ内に同一個数の共通する多重を有するＲＦチャネルの中では、より多数の全体的多重を有するＲＦチャネルが、より高いランクを割り当てられる。
【０１２７】
３．関連するＬＯＩ内に同一個数の全体的多重を有するＲＦチャネルの中では、ＲＦチャネルに、任意のランダムな順でランキングを割り当てることができる。
【０１２８】
もう１つの態様では、関連するＬＯＩ内で共通するワイドおよび／またはローカルのコンテンツ多重を搬送するＲＦチャネルのＲＳＳＩ値（使用可能な場合）を、シームレスＲＦチャネルおよび部分的シームレスＲＦチャネルのランキングに使用することもできる。関連するＬＯＩ内で共通するワイドおよび／またはローカルのコンテンツ多重を搬送するＲＦチャネルに関連するより高いＲＳＳＩ値を有するシームレスＲＦチャネルおよび部分的シームレスＲＦチャネルに、より高いランクを割り当てることができる。これは、ハンドオフ後に新しいＬＯＩ内の共通多重のよりよい可用性をもたらす。シームレスＲＦチャネルおよび部分的シームレスＲＦチャネルは、ＲＦハンドオフを実行するために、そのランキング順で評価される。一態様では、シームレスＲＦチャネルおよび部分的シームレスＲＦチャネルは、ＲＦチャネルのＲＳＳＩが定義されたしきい値より大きい場合に、信号強度判断基準を満足する場合に限ってハンドオフについて考慮される。
【０１２９】
ハンドオフの概要
近隣ＬＯＩ内のＲＦチャネルへのＲＦハンドオフは、ハンドオフイベント（すなわち、コンテンツ獲得失敗）が所望のコンテンツについて検出される時に、必ず開始される。所望のコンテンツに関連するシームレスハンドオフテーブルおよび部分的シームレスハンドオフテーブル内のＲＦチャネルが、ハンドオフの実行について考慮される。ハンドオフＲＦリストが、所望のコンテンツに関連するシームレスＲＦチャネルおよび部分的シームレスＲＦチャネルを組み合わせることによって生成される。シームレスＲＦチャネルは、ハンドオフＲＦリスト内で部分的シームレスＲＦチャネルより上にリストされる。また、シームレスＲＦチャネルおよび部分的シームレスＲＦチャネルの個々のセットが、ハンドオフＲＦリスト内でそのそれぞれのランク順でリストされる。ハンドオフＲＦリスト内のＲＦは、そのリストされた順でハンドオフについて評価される。
【０１３０】
ハンドオフイベントが初めて開始された時の現在のＲＦチャネルを指定するＨａｎｄｏｆｆ＿Ｔｒｉｇｇｅｒ＿ＲＦパラメータが、維持される。特定の近隣ＲＦへのハンドオフを実行するために、その近隣ＲＦは、ＲＦ選択判断基準を満足しなければならない。ＲＦ選択判断基準の満足は、選択されたＲＦチャネルのＲＳＳＩが定義されたしきい値より大きくなければならないという信号強度判断基準を満足することと、ハンドオフ判断基準を満足することとを含む。ハンドオフ判断基準は、Ｈａｎｄｏｆｆ＿Ｔｒｉｇｇｅｒ＿ＲＦに関して評価される。一態様では、近隣ＲＦは、次式が成り立つ場合にハンドオフ判断基準を満足する。
【０１３１】
近隣ＲＦのＲＳＳＩ＞＝Ｈａｎｄｏｆｆ＿Ｔｒｉｇｇｅｒ＿ＲＦのＲＳＳＩ＋
ＲＳＳＩ＿Ｈｙｓｔｅｒｅｓｉｓ                  （１）
ＲＳＳＩ＿Ｈｙｓｔｅｒｅｓｉｓは、近隣ＲＦとＨａｎｄｏｆｆ＿Ｔｒｉｇｇｅｒ＿ＲＦとの間での行き来を最小にするのに使用される。Ｈａｎｄｏｆｆ＿Ｔｒｉｇｇｅｒ＿ＲＦパラメータには、ＷＯＩＳが近隣ＲＦ上で成功して獲得される場合に、その近隣ＲＦがセットされる。
【０１３２】
所望のコンテンツに関する近隣シームレスＲＦおよび近隣部分的シームレスＲＦのセット内のＲＦへのハンドオフが、有限の時間期間について試みられる。ハンドオフタイマが、ハンドオフをその間に実行しなければならない時間持続期間を指定するために維持される。ハンドオフタイマには、アクティブ化されたフローおよび登録されたフローについて異なる値をセットすることができる。たとえば、ハンドオフタイマに、アクティブ化されたフローのリアルタイムの性質のゆえに、アクティブ化されたフローについて、登録されたフローと比較してより長い値をセットすることができる。所望のコンテンツを、ハンドオフタイマが満了した後に獲得できない場合には、システムは、その所望のコンテンツを獲得する試みを諦める。ハンドオフタイマが満了した後のアクティブ化されたフローおよび登録されたフローに関するデバイス挙動は、本文書の別のセクションに取り込まれている。
【０１３３】
図７に、ハンドオフシステムの諸態様で使用されるハンドオフを実行する方法７００を示す。説明を明瞭にするために、方法７００を、本明細書では、図３に示されたハンドオフ論理３００を参照して説明する。たとえば、一態様では、処理論理３０２が、下で説明する機能を実行するためにハンドオフ論理３００を制御するコードの１つまたは複数のセットを実行する。
【０１３４】
ブロック７０２では、近隣記述情報を、ＮＤＭの一部として受信する。たとえば、近隣記述情報は、デバイスの現在のＬＯＩの近隣ＬＯＩ、それらに関連するＲＦチャネル、およびこれらのＲＦチャネル上で搬送される多重（ＷＩＤおよびＬＩＤ情報によって識別される）を識別する。一態様では、近隣記述情報は、制御チャネル論理３０６によって制御チャネル上で受信され、メッセージ復号器３０４に渡され、このメッセージ復号器３０４で、この情報は、処理論理３０２による処理のために復号される。
【０１３５】
ブロック７０４では、現在のＬＯＩおよびその近隣ＬＯＩ内のＲＦチャネルを、これらのＲＦチャネルの信号強度（ＲＳＳＩ）を測定するために監視する。一態様では、処理論理３０２が、現在のＬＯＩおよび近接ＬＯＩ内のＲＦに関連する信号強度パラメータを要求し、受信するように動作する。
【０１３６】
ブロック７０６では、シームレスハンドオフテーブルを生成し、維持する。一態様では、処理論理３０２が、受信された近隣記述情報に基づいてシームレスハンドオフテーブルを生成し、維持するように動作する。たとえば、現在のＬＯＩ内の多重ごとに、ワイドおよびローカルのシームレスハンドオフテーブルが、図４に示されているようにフォーマットされ、ワイド＋ローカルシームレスハンドオフテーブルが、図５に示されているようにフォーマットされる。
【０１３７】
ブロック７０８では、部分的シームレスハンドオフテーブルを生成し、維持する。一態様では、処理論理３０２が、受信された近隣記述情報に基づいて部分的シームレスハンドオフテーブルを生成し、維持するように動作する。たとえば、現在のＬＯＩ内の多重ごとに、ワイド、ローカル、およびワイド＋ローカルの部分的シームレスハンドオフテーブルが、図６に示されているようにフォーマットされる。
【０１３８】
ブロック７１０では、所望のコンテンツに関するハンドオフイベントが検出されたかどうかに関する判定を行う。一態様では、処理論理３０２が、ハンドオフイベントを検出するように動作する。一態様では、ハンドオフイベントは、所望のコンテンツに関連する獲得失敗の結果としてトリガされる。たとえば、獲得失敗は、デバイスモビリティに起因して発生し得る。ハンドオフイベントが検出されない場合には、ハンドオフ方法は終了する。ハンドオフイベントが検出される場合には、この方法は、ブロック７１２に進む。
【０１３９】
ブロック７１２では、所望のコンテンツに関連するシームレスハンドオフテーブル内にＲＦチャネルがあるかどうかに関する判定を行う。一態様では、処理論理３０２が、維持されるシームレスハンドオフテーブルのセットに基づいてこの判定を行う。所望のコンテンツに関連するシームレスハンドオフテーブル内にＲＦチャネルがある場合には、この方法は、ブロック７１４に進む。所望のコンテンツに関連するシームレスハンドオフテーブル内にＲＦチャネルがない場合には、この方法は、ブロック７３２に進む。
【０１４０】
ブロック７１４では、所望のコンテンツに関連するシームレスハンドオフテーブル内のＲＦチャネルを、増加するランクによってソートする。一態様では、処理論理３０２が、上で説明したランキングアルゴリズムに従ってこのソーティングを実行するように動作する。
【０１４１】
ブロック７１６では、所望のコンテンツに関連する部分的シームレスハンドオフテーブル内にＲＦチャネルがあるかどうかに関する判定を行う。一態様では、処理論理３０２が、維持される部分的シームレスハンドオフテーブルのセットに基づいてこの判定を行う。所望のコンテンツに関連する部分的シームレスハンドオフテーブル内に使用可能なＲＦチャネルがある場合には、この方法はブロック７１８に進む。所望のコンテンツに関連する部分的シームレスハンドオフテーブル内にＲＦチャネルがない場合には、この方法はブロック７２２に進む。
【０１４２】
ブロック７１８では、所望のコンテンツに関連する部分的シームレスハンドオフテーブル内のＲＦチャネルを、増加するランクによってソートする。一態様では、処理論理３０２が、上で説明したランキングアルゴリズムに従って、このソーティングを実行するように動作する。
【０１４３】
ブロック７２０では、ソートされたシームレスＲＦチャネルおよびそれに続くソートされた部分的シームレスＲＦチャネルを備えるハンドオフＲＦリストを生成する。一態様では、処理論理３０２が、このハンドオフＲＦリストを生成するように動作する。
【０１４４】
ブロック７２２では、ソートされたシームレスＲＦチャネルを備えるハンドオフＲＦリストを生成する。一態様では、処理論理３０２が、このハンドオフＲＦリストを生成するように動作する。
【０１４５】
ブロック７２４では、検出されたハンドオフトリガイベントが、上で説明した４つのハンドオフトリガ条件のうちの第１または第２のハンドオフトリガ条件のうちの１つに基づくかどうかに関する判定を行う。一態様では、処理論理３０２が、この判定を行う。ハンドオフイベントが、第１または第２のトリガ条件に基づく場合には、この方法は、ブロック７２８に進む。ハンドオフイベントが、第１または第２のトリガ条件のいずれにも基づかない場合には、この方法は、ブロック７２６に進む。
【０１４６】
ブロック７２６では、Ｈａｎｄｏｆｆ＿Ｔｒｉｇｇｅｒ＿ＲＦに現在のＲＦチャネルを割り当てる。一態様では、処理論理３０２が、この割当を行う。
【０１４７】
ブロック７２８では、ハンドオフタイマを始動する。一態様では、ハンドオフタイマは、処理論理３０２によって維持され、この処理論理３０２が、このタイマを始動するように動作する。一態様では、ハンドオフタイマパラメータに、アクティブ化されたフローおよび登録されたフローについて開始されるハンドオフに関して異なる値をセットすることができる。
【０１４８】
ブロック７３０では、現在のハンドオフＲＦリストに基づいて、ハンドオフ手順を実行する。一態様では、ハンドオフ手順は、図８に示された方法８００によって提供される。
【０１４９】
ブロック７３２では、所望のコンテンツに関連する部分的シームレスハンドオフテーブル内にＲＦチャネルがあるかどうかに関する判定を行う。一態様では、処理論理３０２が、維持される部分的シームレスハンドオフテーブルのセットに基づいてこの判定を行う。所望のコンテンツに関連する部分的シームレスハンドオフテーブル内にＲＦチャネルがある場合には、この方法はブロック７３４に進む。所望のコンテンツに関連する部分的シームレスハンドオフテーブル内にＲＦチャネルがない場合には、この方法はブロック７３８に進む。
【０１５０】
ブロック７３４では、所望のコンテンツに関連する部分的シームレスハンドオフテーブル内のＲＦチャネルを、増加するランクによってソートする。一態様では、処理論理３０２が、上で説明したランキングアルゴリズムに従ってこのソーティングを実行するように動作する。
【０１５１】
ブロック７３６では、ソートされた部分的シームレスＲＦチャネルを備えるハンドオフＲＦリストを生成する。一態様では、処理論理３０２が、このハンドオフＲＦリストを生成するように動作する。
【０１５２】
ブロック７３８では、ハンドオフタイプがワイド＋ローカルハンドオフであるかどうかに関する判定を行う。一態様では、処理論理３０２が、この判定を行う。ハンドオフがワイド＋ローカルハンドオフである場合には、この方法は、ブロック７４２に進む。ハンドオフがワイド＋ローカルハンドオフではない場合には、この方法は、ブロック７４０に進む。
【０１５３】
ブロック７４０では、現在のＬＯＩ内のＲＦチャネル上で所望のコンテンツを獲得する試みを行う。これは、方法７００のこの点で、所望のコンテンツについて使用可能なシームレスＲＦチャネルまたは部分的シームレスＲＦチャネルがないと判定されているからである。
【０１５４】
ブロック７４２では、ハンドオフタイプはワイド＋ローカルであり、所望のワイド＋ローカルコンテンツについて、シームレスＲＦチャネルまたは部分的シームレスＲＦチャネルは使用可能ではない。その結果、所望のワイドコンテンツに関するワイドハンドオフを実行する試みを行う。ワイドハンドオフが失敗する場合には、所望のローカルコンテンツに関するローカルハンドオフを実行する試みを行う。
【０１５５】
したがって、方法７００は、ハンドオフシステムの諸態様で使用されるハンドオフを実行するように動作する。方法７００が、単に１つの実施態様を表すことと、他の実施態様が、諸態様の範囲内で可能であることとに留意されたい。
【０１５６】
図８に、ハンドオフシステムの諸態様で使用されるハンドオフ手順を実行する方法８００を示す。たとえば、方法８００は、方法７００のブロック７３０での使用に適切である。説明を明瞭にするために、方法８００を、本明細書で、図３に示されたハンドオフ論理３００を参照して説明する。たとえば、一態様では、処理論理３０２が、下で説明する機能を実行するためにハンドオフ論理３００を制御するコードの１つまたは複数のセットを実行する。
【０１５７】
ブロック８０２では、現在のハンドオフＲＦリストと同等になるように獲得ＲＦリストをセットする。一態様では、ハンドオフＲＦリストは、方法７００を参照して上で述べたように、処理論理３０２によって決定される。
【０１５８】
ブロック８０４では、獲得ＲＦリスト内のＲＦチャネルを、これらのＲＦチャネルの信号強度（ＲＳＳＩ）を測定するために監視する。一態様では、処理論理３０２が、獲得ＲＦリスト内のＲＦのＲＦ信号強度特性を要求するために、デバイスの受信する論理と通信するように動作する。
【０１５９】
ブロック８０６では、獲得ＲＦリスト内のすべてのＲＦの信号強度が選択された信号強度しきい値未満であるかどうかに関する判定を行う。一態様では、処理論理３０２が、この判定を行うために、獲得ＲＦリスト内のすべてのＲＦの信号強度特性を選択されたしきい値と比較するように動作する。獲得ＲＦリスト内のすべてのＲＦの信号強度がしきい値以下である場合には、この方法はブロック８０８に進む。獲得ＲＦリスト内に、選択されたしきい値を超える信号強度を有するＲＦがある場合には、この方法はブロック８１４に進む。
【０１６０】
ブロック８０８では、ハンドオフタイマが満了したかどうかに関する判定を行う。一態様では、処理論理３０２が、方法７００を参照して述べたように、ハンドオフタイマを維持する（ブロック７２８で）。処理論理３０２は、ハンドオフタイマが満了したかどうかを判定し、そうである場合には、この方法はブロック８１２に進む。ハンドオフタイマが満了していない場合には、この方法はブロック８１０に進む。
【０１６１】
ブロック８１２では、ハンドオフ失敗を宣言する。一態様では、選択されたしきい値以下の信号強度を有する獲得ＲＦリスト内のすべてのＲＦおよびハンドオフタイマが満了しているので、処理論理３０２は、試みられたハンドオフが失敗したと判定する。
【０１６２】
ブロック８１０では、現在のハンドオフＲＦリストと同等になるように獲得ＲＦリストをセットする。一態様では、ハンドオフＲＦリストは、方法７００を参照して上で述べたように、処理論理３０２によって決定される。
【０１６３】
ブロック８１４では、しきい値を超えるＲＳＳＩを有する最初のＲＦチャネルを、順序付けられた獲得ＲＦリスト内で選択する。次に、選択されたＲＦチャネルのハンドオフ判断基準を評価するために、評価を実行する。ハンドオフ判断基準は、上の式（１）によって記述されるように評価される。一態様では、処理論理３０２が、ＲＦ選択およびハンドオフ判断基準評価を行う。
【０１６４】
ブロック８１６では、ブロック８１４で評価されたハンドオフ判断基準が選択されたＲＦチャネルに関して満足されるかどうかを判定するために判定を行う。一態様では、処理論理３０２が、この判定を行う。ハンドオフ判断基準が、獲得ＲＦリスト内の選択されたＲＦチャネルに関して満足される場合には、この方法はブロック８１８に進む。ハンドオフ判断基準が満足されない場合には、この方法はブロック８２０に進む。
【０１６５】
ブロック８２０では、選択されたＲＦチャネルを獲得ＲＦリストから除去する。一態様では、ブロック８１６での判定で選択されたＲＦがハンドオフ判断基準を満足できないので、またはブロック８３０での判定でＯＩＳを選択されたＲＦ上で成功して獲得できなかったので、またはブロック８３８での判定でＣＣ（必要な場合）の獲得が選択されたＲＦ上で失敗するので、またはブロック８４２での判定でＭＬＣを成功して復号できなかったので、処理論理３０２が、選択されたＲＦを獲得ＲＦリストから除去する。
【０１６６】
ブロック８２２では、ハンドオフタイマが満了したかどうかに関する判定を行う。一態様では、処理論理３０２が、方法７００を参照して述べたように、ハンドオフタイマを維持する。処理論理３０２は、ハンドオフタイマが満了したかどうかを判定し、そうである場合には、この方法はブロック８２４に進む。ハンドオフタイマが満了していない場合には、この方法はブロック８２６に進む。
【０１６７】
ブロック８２４では、ハンドオフ失敗を宣言する。一態様では、ハンドオフタイマが満了しているので、処理論理３０２は、試みられたハンドオフが失敗したと判定する。
【０１６８】
ブロック８２６では、獲得ＲＦリストが空の場合に、ハンドオフＲＦリストと同等になるように獲得ＲＦリストをリセットする。一態様では、処理論理３０２は、獲得ＲＦリストが空であるかどうかを判定し、そうである場合に、獲得ＲＦリストをハンドオフＲＦリストにリセットする。
【０１６９】
ブロック８１８では、ＲＦに関連するＷＩＤ／ＬＩＤを使用して、選択されたＲＦへの切替を実行する。一態様では、処理論理３０２が、選択されたＲＦへの切替およびそのＲＦ上のコンテンツをデスクランブルするための関連付けられたＷＩＤ／ＬＩＤの使用を行うために、チャネル切替論理３１０を制御する。
【０１７０】
ブロック８２８では、選択されたＲＦチャネル上でＯＩＳを獲得する試みを行う。一態様では、ＯＩＳは、オーバヘッドインプット論理３０６によって獲得される。
【０１７１】
ブロック８３０では、ＯＩＳが選択されたＲＦ上で成功して獲得されたかどうかに関する判定を行う。一態様では、処理論理３０２が、この判定を行う。ＯＩＳが成功して獲得はされなかった場合には、この方法はブロック８３２に進む。ＯＩＳが成功して獲得された場合には、この方法はブロック８３４に進む。
【０１７２】
ブロック８３２では、Ｈａｎｄｏｆｆ＿Ｔｒｉｇｇｅｒ＿ＲＦへの切替を行う。一態様では、ＯＩＳ獲得が選択されたＲＦ上で失敗したので、処理論理３０２が、Ｈａｎｄｏｆｆ＿Ｔｒｉｇｇｅｒ＿ＲＦに戻って切り替えるようにチャネル切替論理３１０を制御する。
【０１７３】
ブロック８３４では、Ｈａｎｄｏｆｆ＿Ｔｒｉｇｇｅｒ＿ＲＦに現在のＲＦをセットする。一態様では、処理論理３０２が、この動作を実行する。
【０１７４】
ブロック８３６では、必要な場合に、適当な制御チャネルを獲得する試みを行う。一態様では、オーバヘッドインプット論理３０６が、この動作を実行する。
【０１７５】
ブロック８３８では、制御チャネルが成功して獲得されたかどうかに関する判定を行う。一態様では、処理論理３０２が、この判定を行う。制御チャネルが成功して獲得されなかった場合には、この方法はブロック８２０に進む。制御チャネルが成功して獲得された場合には、この方法はブロック８４０に進む。
【０１７６】
ブロック８４０では、現在のＲＦからメディア論理チャネル（ＭＬＣ）を復号する試みを行う。一態様では、デバイスの受信する論理が、ＭＬＣを復号することを試み、その結果を処理論理３０２に報告する。
【０１７７】
ブロック８４２では、所望のコンテンツに関連する少なくとも１つのＭＬＣが成功して復号されたかどうかに関する判定を行う。一態様では、処理論理３０２が、この判定を行う。所望のコンテンツに関連する少なくとも１つのＭＬＣが成功して復号はされなかった場合には、この方法は、ブロック８２０に進む。所望のコンテンツに関連する少なくとも１つのＭＬＣが成功して復号された場合には、この方法は、ブロック８４４に進む。
【０１７８】
ブロック８４４では、ハンドオフが成功であると判定され、ハンドオフ手順は終了する。一態様では、所望のコンテンツに関連する少なくとも１つのＭＬＣが成功して復号されたので、処理論理３０２が、この判定を行う。
【０１７９】
したがって、方法８００は、ハンドオフシステムの諸態様で使用されるハンドオフを実行するように動作する。方法８００が、単に１つの実施態様を表すことと、他の実施態様が、諸態様の範囲内で可能であることとに留意されたい。
【０１８０】
図９に、ハンドオフシステムの諸態様で使用されるアクティブ化されたフローのためのハンドオフイベントトリガを提供する方法９００を示す。説明を明瞭にするために、方法９００を、本明細書で、図３に示されたハンドオフ論理３００を参照して説明する。たとえば、一態様では、処理論理３０２が、下で説明する機能を実行するためにハンドオフ論理３００を制御するコードの１つまたは複数のセットを実行する。
【０１８１】
ブロック９０２では、１つまたは複数のリアルタイムフローが成功してアクティブ化される。一態様では、デバイスのアプリケーションが、１つまたは複数のリアルタイムフローを獲得することを試みる。
【０１８２】
ブロック９０４では、必要な制御チャネル情報がローカルに格納されているかどうかに関する判定を行う。一態様では、処理論理３０２が、必要な制御チャネル情報がローカルに格納されているかどうかを判定するように動作する。制御チャネルデータがローカルに格納されている場合には、この方法はブロック９０６に進む。制御チャネルデータがローカルに格納されていない場合には、この方法はブロック９０８に進む。
【０１８３】
ブロック９０６では、新たにアクティブ化されたフローを搬送するＲＦチャネルに切り替えるために切替を実行する（必要な場合に）。一態様では、処理論理３０２が、新たにアクティブ化されたフローを搬送するＲＦチャネルに切り替えるためにチャネル切替論理３１０を制御する。デバイスの現在のＲＦが、新たにアクティブ化されたフローを搬送するＲＦである場合には、ＲＦ切替は不要である。
【０１８４】
ブロック９０８では、新しいＲＦチャネルからＯＩＳおよび制御チャネル情報の適当なセットを獲得する試みを行う。一態様では、オーバヘッドインプット論理３０６が、新しいＲＦチャネルからＯＩＳおよび制御チャネル情報を入手する。
【０１８５】
ブロック９１０では、ＯＩＳおよび制御チャネル情報の適当なセットが成功して獲得されたかどうかに関する判定を行う。一態様では、処理論理３０２が、この判定を行うように動作する。ＯＩＳおよび制御チャネルデータが成功して獲得はされなかった場合には、この方法はブロック９１４に進む。ＯＩＳおよび制御チャネルデータが成功して獲得された場合には、この方法はブロック９１２に進む。
【０１８６】
ブロック９１２では、新たにアクティブ化されたフローを新しいＲＦ上で復号する。一態様では、デバイスの受信する論理が、新たにアクティブ化されたフローを復号するように動作する。
【０１８７】
ブロック９１４では、近隣ＲＦチャネル上でアクティブ化されたフローを獲得することを試みて、ハンドオフ手順を実行する。一態様では、ＯＩＳおよびＣＣ獲得が現在のＬＯＩ内でアクティブ化されたフローを搬送するＲＦチャネルで失敗するので、処理論理３０２が、このハンドオフ手順を実行するように動作する。一態様では、ハンドオフ手順が、図８を参照して上で説明される。
【０１８８】
ブロック９１６では、ハンドオフが成功であったかどうかに関する判定を行う。一態様では、処理論理３０２が、この判定を行う。ハンドオフが成功であった場合には、この方法はブロック９１２に進む。ハンドオフが不成功であった場合には、この方法はブロック９１８に進む。
【０１８９】
ブロック９１８では、ハンドオフが失敗しており、すべてのアクティブ化されたフローが非アクティブ化される。一態様では、処理論理３０２が、すべてのアクティブ化されたフローを非アクティブ化するように動作する。
【０１９０】
ブロック９２０では、システム獲得論理を実行する。一態様では、ハンドオフが失敗したので、処理論理３０２が、システムを獲得するためにシステム獲得論理を開始するように動作する。
【０１９１】
したがって、方法９００は、ハンドオフシステムの諸態様で使用されるアクティブ化されたフローのためのハンドオフイベントトリガの提供を実行するように動作する。方法９００が、単に１つの実施態様を表すことと、他の実施態様が、諸態様の範囲内で可能であることとに留意されたい。
【０１９２】
図１０に、ハンドオフシステムの諸態様で使用されるアクティブ化されたフローのためのハンドオフイベントトリガを提供する方法１０００を示す。説明を明瞭にするために、方法１０００を、本明細書で、図３に示されたハンドオフ論理３００を参照して説明する。たとえば、一態様では、処理論理３０２が、下で説明する機能を実行するためにハンドオフ論理３００を制御するコードの１つまたは複数のセットを実行する。
【０１９３】
ブロック１００２では、デバイスは、現在、現在のＲＦチャネル上のアクティブ化されたフローを復号しつつある。
【０１９４】
ブロック１００４では、アクティブ化されたフローに関連するすべてのＭＬＣのデータ獲得が失敗した、またはＯＩＳ獲得が現在のＲＦチャネルで失敗したかどうかを判定するために判定を行う。一態様では、処理論理３０２が、この判定を行う。ＭＬＣ失敗およびＯＩＳ失敗がない場合には、この方法はブロック１００２に進む。アクティブ化されたフローに関連するすべてのＭＬＣの失敗またはＯＩＳ獲得の失敗のいずれかがある場合には、この方法はブロック１００６に進む。
【０１９５】
ブロック１００６では、アクティブ化されたフローに関するハンドオフ手順を実行する。たとえば、図８で説明したハンドオフ手順が、ＯＩＳおよびアクティブ化されたフローを成功して獲得するために新しい近隣ＲＦチャネルにハンドオフするために実行される。
【０１９６】
ブロック１００８では、ハンドオフが成功であったかどうかに関する判定を行う。一態様では、処理論理３０２が、この判定を行う。ハンドオフが成功であった場合には、この方法はブロック１０１０に進む。ハンドオフが不成功であった場合には、この方法はブロック１０１２に進む。
【０１９７】
ブロック１０１０では、アクティブ化されたフローを新しいＲＦチャネルから復号する。一態様では、デバイスは、新しいＲＦチャネルにハンドオフ済みであり、そのＲＦチャネルからアクティブ化されたフローを獲得することができる。
【０１９８】
ブロック１０１２では、ハンドオフが失敗しており、すべてのアクティブ化されたフローが、非アクティブ化される。一態様では、異なるＲＦチャネルへのハンドオフが不成功であったので、処理論理３０２が、アクティブ化されたフローを非アクティブ化するように動作する。
【０１９９】
ブロック１０１４では、システム獲得論理を実行する。一態様では、ハンドオフが失敗したので、処理論理３０２が、システムを獲得するためにシステム獲得論理を開始するように動作する。
【０２００】
したがって、方法１０００は、ハンドオフシステムの諸態様で使用されるアクティブ化されたフローのためのハンドオフイベントトリガの提供を実行するように動作する。方法１０００が、単に１つの実施態様を表すことと、他の実施態様が、諸態様の範囲内で可能であることとに留意されたい。
【０２０１】
図１１に、ハンドオフシステムの諸態様で使用される登録されたフローのためのハンドオフトリガイベントを提供する方法１１００を示す。一態様では、方法１１００は、登録されたフローに関するデータ獲得失敗の場合にハンドオフを開始する。登録されたフローのデータ獲得手順（ＤＡＰ）の詳細な説明が、提示されず、そのようなデータ獲得手順の特定の実施形態が、本明細書で説明されるさまざまな実施形態の方法および装置の動作にとって本質的ではないことに留意されたい。しかし、登録されたフローのデータ獲得手順の例を、上で参照した特許出願（２００７年４月４日に出願した米国特許仮出願第６０／９１０１９１号明細書、名称「ｍｅｔｈｏｄｓ  ａｎｄ  Ａｐｐａｒａｔｕｓ  ｆｏｒ  Ｐｒｏｖｉｄｉｎｇ  Ｆｌｏｗ  Ｄａｔａ  Ａｃｑｕｉｓｉｔｉｏｎ  Ｐｒｉｏｒｉｔｙ  Ｓｃｈｅｍｅ  ｉｎ  ａ  Ｍｕｌｔｉｐｌｅ  Ｆｒｅｑｕｅｎｃｙ  Ｎｅｔｗｏｒｋ」、および２００７年６月２０日に出願した米国特許仮出願第６０／９４５３１７号明細書、名称「Ｍｅｔｈｏｄｓ  Ａｎｄ  Ａｐｐａｒａｔｕｓ  ｆｏｒ  Ｐｒｏｖｉｄｉｎｇ  Ｆｌｏｗ  Ｄａｔａ  Ａｃｑｕｉｓｉｔｉｏｎ  Ｐｒｉｏｒｉｔｙ  Ｓｃｈｅｍｅ  ｉｎ  ａ  Ｍｕｌｔｉｐｌｅ  Ｆｒｅｑｕｅｎｃｙ  Ｎｅｔｗｏｒｋ」）に見出すことができる。一態様では、処理論理３０２が、下で説明する機能を実行するためにハンドオフ論理３００を制御するコードの１つまたは複数のセットを実行する。
【０２０２】
ブロック１１０２では、必要な制御チャネル情報がローカルに格納されているかどうかに関する判定を行う。一態様では、処理論理３０２が、この判定を行うように動作する。必要な制御チャネル情報がローカルに格納されている場合には、この方法はブロック１１０４に進む。必要な制御チャネル情報がローカルに格納されてはいない場合には、この方法はブロック１１０８に進む。
【０２０３】
ブロック１１０４では、それに関してデータを獲得すべき登録されたフローを備えるフローグループ（ＦＧ）を、そのランクの順でＤＡＰ＿ＦＧ［．．］リストに格納する。最高ランクのＦＧ（ＤＡＰ＿ＦＧ［０］）が、登録されたフローデータを獲得するために選択される。一態様では、処理論理３０２が、これらの動作を実行するように動作する。処理論理３０２は、選択されたＦＧ内の登録されたフローおよび同一ＲＦチャネル上で搬送される他の登録されたフローのフローデータを獲得することを試みるように動作する。
【０２０４】
ブロック１１０６では、選択されたフローグループを搬送するＲＦへの切替（必要な場合）を実行する。一態様では、処理論理３０２が、選択されたＦＧを搬送するＲＦチャネルに切り替えるためにチャネル切替論理３１０を制御する。デバイスの現在のＲＦが選択されたＦＧを搬送するＲＦである場合には、ＲＦ切替は不要である。
【０２０５】
ブロック１１０８では、新しいＲＦチャネル上でＯＩＳおよび制御チャネル情報の適当なセットを獲得する試みを行う。一態様では、オーバヘッドインプット論理３０６が、新しいＲＦチャネルからＯＩＳおよび制御チャネル情報を入手する。
【０２０６】
ブロック１１１０では、ＯＩＳおよび制御チャネル情報の獲得が成功したかどうかに関する判定を行う。一態様では、ＯＩＳおよび制御チャネル情報の獲得が成功であった場合に、この方法はブロック１１１２に進む。ＯＩＳおよび制御チャネル情報の獲得が不成功であった場合には、この方法はブロック１１１４に進む。
【０２０７】
ブロック１１１２では、ＤＡＰ手順の実行が、登録されたフローに関連するデータを獲得するために継続される。一態様では、処理論理３０２が、ＤＡＰ手順の実行を継続するように動作する。
【０２０８】
ブロック１１１４では、選択されたＦＧ内の登録されたフローに関するハンドオフ手順を実行する。たとえば、図８で説明したハンドオフ手順が、選択されたＦＧ内の登録されたフローに関するデータを入手することを試みて新しい近隣ＲＦチャネルにハンドオフするために実行される。
【０２０９】
ブロック１１１６では、ハンドオフが成功であったかどうかに関する判定を行う。ハンドオフが成功であった場合には、この方法はブロック１１１２に進む。ハンドオフが不成功であった場合には、この方法はブロック１１１８に進む。
【０２１０】
ブロック１１１８では、現在のＲＦチャネル上で搬送されるすべてのフローグループをＤＡＰフローグループリストから除去する。一態様では、処理論理３０２が、ＦＧをＤＡＰフローグループリストから除去するように動作する。
【０２１１】
ブロック１１２０では、ＤＡＰフローグループリストにまだフローグループが残っているかどうかに関する判定を行う。一態様では、処理論理３０２が、この判定を行うように動作する。一態様では、ＤＡＰフローグループリストにまだ残っているフローグループがある場合に、この方法はブロック１１０４に進む。ＤＡＰフローグループリストに残っているフローグループがもうない場合には、この方法はブロック１１２２に進む。
【０２１２】
ブロック１１２２では、ＤＡＰフローグループリストを、すべての計算されたフローグループにリセットする。一態様では、処理論理３０２が、ＤＡＰフローグループリストをリセットするように動作する。
【０２１３】
ブロック１１２４では、選択されたタイムインターバルの後にＯＩＳ、ＣＣ、およびＦＧのフローデータの獲得をもう一度試みることを可能にするために、ＯＩＳ情報の監視をスケジューリングする。
【０２１４】
したがって、方法１１００は、ハンドオフシステムの諸態様で使用される登録されたフローのためのハンドオフイベントトリガを提供するように動作する。方法１１００が、単に１つの実施態様を表すことと、他の実施態様が、諸態様の範囲内で可能であることとに留意されたい。
【０２１５】
図１２に、ハンドオフシステムの諸態様で使用される登録されたフローのためのハンドオフトリガイベントを提供する方法１２００を示す。一態様では、方法１２００は、登録されたフローに関するデータ獲得失敗の場合にハンドオフを開始する。一態様では、処理論理３０２が、下で説明する機能を実行するためにハンドオフ論理３００を制御するコードの１つまたは複数のセットを実行する。
【０２１６】
ブロック１２０２では、デバイスは、現在、現在のＲＦ上の選択されたフローグループに関連する登録されたフローを復号しつつある。デバイスは、現在のＲＦ上で搬送される他のＦＧに関連する登録されたフローをも復号する。
【０２１７】
ブロック１２０４では、選択されたＦＧ内の登録されたフローに関連するすべてのＭＬＣのデータ獲得が失敗した、またはＯＩＳ獲得が現在のＲＦで失敗したかどうかに関する判定を行う。一態様では、処理論理３０２が、この判定を行う。ＭＬＣおよびＯＩＳ失敗がない場合には、この方法はブロック１２０２に進む。選択されたＦＧ内の登録されたフローに関連するすべてのＭＬＣの失敗またはＯＩＳ獲得の失敗のいずれかがある場合には、この方法はブロック１２０６に進む。
【０２１８】
ブロック１２０６では、選択されたＦＧ内の登録されたフローに関するハンドオフ手順を実行する。たとえば、図８で説明したハンドオフ手順が、ＯＩＳおよび選択されたＦＧ内の登録されたフローを成功して獲得するために新しい近隣ＲＦチャネルにハンドオフするために実行される。
【０２１９】
ブロック１２０８では、ハンドオフが成功であったかどうかに関する判定を行う。一態様では、処理論理３０２が、この判定を行う。ハンドオフが成功であった場合には、この方法はブロック１２１０に進む。ハンドオフが不成功であった場合には、この方法はブロック１２１２に進む。
【０２２０】
ブロック１２１２では、現在のＲＦチャネル上で搬送されるすべてのフローグループをＤＡＰフローグループリストから除去する。一態様では、処理論理３０２が、ＦＧをＤＡＰフローグループリストから除去するように動作する。
【０２２１】
ブロック１２１４では、ＤＡＰフローグループリストにまだ残っているフローグループがあるかどうかに関する判定を行う。一態様では、処理論理３０２が、この判定を行うように動作する。まだ残っているフローグループがある場合には、この方法は、ＤＡＰ手順の実行を開始するためにブロック１２１６に進む。ＤＡＰフローグループリストに残っているフローグループがもうない場合には、この方法はブロック１２１８に進む。
【０２２２】
ブロック１２１６では、ＤＡＰフローグループリストに残っている追加のフローグループについてデータを獲得するために、ＤＡＰ手順を実行する。
【０２２３】
ブロック１２１８では、ＤＡＰフローグループリストを、すべての計算されたフローグループをリストするためにリセットする。一態様では、処理論理３０２が、ＤＡＰフローグループリストをリセットするように動作する。
【０２２４】
ブロック１２２０では、選択されたタイムインターバルの後にＯＩＳ、ＣＣ、およびＦＧのフローデータの獲得をもう一度試みることを可能にするために、ＯＩＳ情報の監視をスケジューリングする。
【０２２５】
したがって、方法１２００は、ハンドオフシステムの諸態様で使用される登録されたフローのためのハンドオフイベントトリガを提供するように動作する。方法１２００が、単に１つの実施態様を表すことと、他の実施態様が、諸態様の範囲内で可能であることとに留意されたい。
【０２２６】
図１５に、ハンドオフシステムの諸態様で使用されるハンドオフ論理１５００を示す。たとえば、ハンドオフ論理１５００は、図３に示されたハンドオフ論理３００としての使用に適切である。一態様では、ハンドオフ論理３００は、本明細書で説明するハンドオフシステムの諸態様を提供するように構成された１つまたは複数のモジュールを備える少なくとも１つの集積回路によって実施される。たとえば、一態様では、各モジュールが、ハードウェアおよび／またはソフトウェアを実行するハードウェアを備える。
【０２２７】
ハンドオフ論理１５００は、一態様では処理論理３０２を備える、現在のＬＯＩ内で搬送される多重のシームレスハンドオフテーブルおよび部分的シームレスハンドオフテーブルを生成するための手段（１５０２）を備える第１モジュールを備え、ここで、シームレスハンドオフテーブルおよび部分的シームレスハンドオフテーブルは、現在のＬＯＩ内の多重のうちの１つまたは複数を搬送する近隣ＲＦチャネルを備える。ハンドオフ論理１５００は、一態様では処理論理３０２を備える、現在のＲＦでの獲得失敗によって開始されるハンドオフイベントを検出するための手段（１５０４）を備える第２モジュールをも備える。ハンドオフ論理１５００は、一態様では処理論理３０２を備える、シームレスハンドオフテーブルおよび部分的シームレスハンドオフテーブルから選択されたＲＦチャネルを選択するための手段（１５０６）を備える第３モジュールをも備える。ハンドオフ論理１５００は、一態様ではチャネル切替論理３１０を備える、選択されたＲＦチャネルへのハンドオフを実行するための手段（１５０８）を備える第４モジュールをも備える。
【０２２８】
本明細書で開示される諸態様に関して説明されたさまざまな例示的な論理、論理ブロック、モジュール、および回路を、汎用プロセッサ、ディジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタ論理、ディスクリートハードウェアコンポーネント、または本明細書に記載の機能を実行するように設計されたこれらの任意の組合せを用いて実施し、または実行することができる。汎用プロセッサは、マイクロプロセッサとすることができるが、代替案では、プロセッサを、任意の従来のプロセッサ、コントローラ、マイクロコントローラ、または状態機械とすることができる。プロセッサを、コンピューティングデバイスの組合せ、たとえば、ＤＳＰおよびマイクロプロセッサの組合せ、複数のマイクロプロセッサ、ＤＳＰコアに関連する１つもしくは複数のマイクロプロセッサ、または任意の他のそのような構成として実施することもできる。
【０２２９】
本明細書で開示される諸態様に関連して説明した方法またはアルゴリズムのステップを、ハードウェアで直接に、プロセッサによって実行されるソフトウェアモジュールで、またはこの２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で既知の任意の他の形の記憶媒体に存在することができる。例示的な記憶媒体は、プロセッサが記憶媒体から情報を読み取り、記憶媒体に情報を書き込むことを可能にするように、プロセッサに結合される。代替案では、記憶媒体を、プロセッサに一体化されたものとすることができる。プロセッサおよび記憶媒体は、ＡＳＩＣ内に存在することができる。ＡＳＩＣは、ユーザ端末内に存在することができる。代替案では、プロセッサおよび記憶媒体が、ユーザ端末内に別個のコンポーネントとして存在することができる。
【０２３０】
開示される諸態様の説明は、当業者が本発明を作りまたは使用することを可能にするために提供されるものである。これらの態様に対するさまざまな変更は、当業者にたやすく明白になる可能性があり、本明細書で定義される包括的原理は、本発明の趣旨または範囲から逸脱せずに、たとえばインスタントメッセージングサービスまたは任意の一般的無線データ通信アプリケーション内の、他の諸態様に適用することができる。したがって、本発明は、本明細書に示された態様に限定されることを意図されているのではなく、本明細書で開示される原理および新規の特徴と一貫する最も広い範囲に一致させられなければならない。単語「例示的」は、本明細書では、「例、実例、または例示として働く」を意味するのに排他的に使用される。本明細書で「例示的」として説明されるすべての態様は、必ずしも、他の態様より好ましいまたは有利とは解釈されない。
【０２３１】
したがって、ハンドオフシステムの諸態様を本明細書で図示し、説明したが、その趣旨または本質的特徴から逸脱せずに、諸態様に対してさまざまな変更を行えることを了解されたい。したがって、本明細書の開示および説明は、次の特許請求の範囲に示される本発明の範囲について、限定的ではなく例示的であることを意図されたものである。
【図１】
2010522520.tif 000003
【図２】
2010522520.tif 000004
【図３】
2010522520.tif 000005
【図４】
2010522520.tif 000006
【図５】
2010522520.tif 000007
【図６】
2010522520.tif 000008
【図７】
2010522520.tif 000009
【図８】
2010522520.tif 000010
【図９】
2010522520.tif 000011
【図１０】
2010522520.tif 000012
【図１１】
2010522520.tif 000013
【図１２】
2010522520.tif 000014
【図１３】
2010522520.tif 000015
【図１４】
2010522520.tif 000016
【図１５】
2010522520.tif 000017
【国際調査報告】
2010522520.tif 000018
2010522520.tif 000019
2010522520.tif 000020